(57)【要約】  再利用されるアンテナを使用して遠方場領域の中で近接場通信（ＮＦＣ）型動作を実行するための方法が説明される。方法は、ＮＦＣ型動作を近接場モードで実行すべきかそれとも遠方場モードで実行すべきかを決定することを含む。方法は、遠方場モードにあるとき、再利用されるアンテナを使用して近接場領域の外側でＮＦＣ型動作を実行することをさらに含む。
2018513584.tif 000002
【特許請求の範囲】
【請求項１】
近接場通信（ＮＦＣ）型動作を近接場モードで実行すべきかそれとも遠方場モードで実行すべきかを決定することと、
前記遠方場モードにあるとき、再利用されるアンテナを使用して近接場領域の外側でＮＦＣ型動作を実行することと、
を備える方法。
【請求項２】
前記ＮＦＣ型動作が、ＮＦＣプロトコルまたは無線周波数識別（ＲＦＩＤ）プロトコルに基づくワイヤレス通信を含む、請求項１に記載の方法。
【請求項３】
前記近接場領域の外側でＮＦＣ型動作を実行することが、前記再利用されるアンテナを使用して、遠方場領域の中で動作するキャリア信号を送信することまたは受信することを備える、請求項１に記載の方法。
【請求項４】
前記ＮＦＣ型動作が、近放射領域、遷移領域、または放射領域の中で実行される、請求項１に記載の方法。
【請求項５】
前記ＮＦＣ型動作が遠方場無線によって実行される、請求項１に記載の方法。
【請求項６】
ＮＦＣ型動作を前記近接場モードで実行すべきかそれとも前記遠方場モードで実行すべきかを決定することが、前記近接場領域および遠方場領域の中でポーリングすることに基づく、請求項１に記載の方法。
【請求項７】
ＮＦＣ型動作を前記近接場モードで実行すべきかそれとも前記遠方場モードで実行すべきかを決定することが、近接場モードまたは遠方場モードで動作するように構成されているソフトウェアアプリケーションを動作させることをユーザが選択することに基づく、請求項１に記載の方法。
【請求項８】
ＮＦＣ型動作を前記近接場モードで実行すべきかそれとも前記遠方場モードで実行すべきかを決定することが位置情報に基づく、請求項１に記載の方法。
【請求項９】
前記再利用されるアンテナがＮＦＣループアンテナであり、ここにおいて、前記ＮＦＣ型動作がＮＦＣコントローラによって実行される、請求項１に記載の方法。
【請求項１０】
近接場モードで使用される第１のインピーダンスから遠方場モードで使用される第２のインピーダンスまで整合ネットワークを調整することをさらに備え、ここにおいて、前記第１のインピーダンスが、近接場周波数に一致する第１の共振ピークを生じさせ、前記第２のインピーダンスが、遠方場周波数に一致する第２の共振ピークを生じさせる、請求項１に記載の方法。
【請求項１１】
前記再利用されるアンテナが、ＮＦＣコントローラおよびＦＭ受信機によって共有されるＦＭアンテナである、請求項１に記載の方法。
【請求項１２】
前記再利用されるアンテナが、ワイヤレスワイドエリアネットワーク（ＷＷＡＮ）アンテナである、請求項１に記載の方法。
【請求項１３】
前記ＷＷＡＮアンテナが、ダイプレクサを用いてＮＦＣコントローラおよびＷＷＡＮブロックに結合されている、請求項１２に記載の方法。
【請求項１４】
前記再利用されるアンテナが、ワイヤレスローカルエリアネットワーク（ＷＬＡＮ）通信またはＢｌｕｅｔｏｏｔｈ（登録商標）（ＢＴ）通信のために使用される遠方場アンテナである、請求項１に記載の方法。
【請求項１５】
ＷＬＡＮ動作およびＮＦＣ型動作が、共通の無線と前記遠方場アンテナとを共有する、請求項１４に記載の方法。
【請求項１６】
前記共通の無線が、遠方場領域の中でのＮＦＣ型動作のために再構成可能なＷＬＡＮ８０２．１１ａｈ無線である、請求項１５に記載の方法。
【請求項１７】
ＷＬＡＮ動作およびＮＦＣ型動作からのベースバンド信号が、前記共通の無線へ多重化される、請求項１５に記載の方法。
【請求項１８】
ＷＬＡＮ動作およびＮＦＣ型動作が、完全な同時実行のために低雑音増幅器（ＬＮＡ）を共有し電力増幅器（ＰＡ）を共有する、請求項１４に記載の方法。
【請求項１９】
ＷＬＡＮのために使用されるメディアアクセス制御（ＭＡＣ）、モデム、および無線が、ＮＦＣ型動作のために再構成される、請求項１に記載の方法。
【請求項２０】
ＮＦＣ型動作用の遠方場周波数が前記再利用されるアンテナによって単体でサポートされるかどうかを決定することと、
前記再利用されるアンテナによって単体でサポートされ得るよりも前記遠方場周波数が低いとき、前記近接場領域の外側でＮＦＣ型動作を実行するための複合アンテナを作成するために、前記再利用されるアンテナとＮＦＣループアンテナとを組み合わせることと、
をさらに備える、請求項１に記載の方法。
【請求項２１】
ＮＦＣループアンテナを使用して前記近接場領域の内側で、および前記再利用されるアンテナを使用して前記近接場領域の外側で、同時のＮＦＣ型動作を実行することをさらに備える、請求項１に記載の方法。
【請求項２２】
近接場領域の外側でＮＦＣ型動作を実行することが、遠方場周波数を使用してポーリング周波数掃引を実行することを備える、請求項１に記載の方法。
【請求項２３】
ワイヤレス通信デバイスであって、
プロセッサと、
前記プロセッサと通信しているメモリと、
前記メモリに記憶された命令と、を備え、前記命令が前記プロセッサによって、
近接場通信（ＮＦＣ）型動作を近接場モードで実行すべきかそれとも遠方場モードで実行すべきかを決定し、
前記遠方場モードにあるとき、再利用されるアンテナを使用して近接場領域の外側でＮＦＣ型動作を実行するように実行可能である、
ワイヤレス通信デバイス。
【請求項２４】
前記ＮＦＣ型動作が、ＮＦＣプロトコルまたは無線周波数識別（ＲＦＩＤ）プロトコルに基づくワイヤレス通信を含む、請求項２３に記載のワイヤレス通信デバイス。
【請求項２５】
前記近接場領域の外側でＮＦＣ型動作を実行することが、前記再利用されるアンテナを使用して、遠方場領域の中で動作するキャリア信号を送信することまたは受信することを備える、請求項２３に記載のワイヤレス通信デバイス。
【請求項２６】
前記ＮＦＣ型動作が遠方場無線によって実行される、請求項２３に記載のワイヤレス通信デバイス。
【請求項２７】
前記再利用されるアンテナがＮＦＣループアンテナであり、ここにおいて、前記ＮＦＣ型動作がＮＦＣコントローラによって実行される、請求項２３に記載のワイヤレス通信デバイス。
【請求項２８】
前記再利用されるアンテナが、ＮＦＣコントローラおよびＦＭ受信機によって共有されるＦＭアンテナである、請求項２３に記載のワイヤレス通信デバイス。
【請求項２９】
前記再利用されるアンテナが、ワイヤレスワイドエリアネットワーク（ＷＷＡＮ）アンテナである、請求項２３に記載のワイヤレス通信デバイス。
【請求項３０】
前記再利用されるアンテナが、ワイヤレスローカルエリアネットワーク（ＷＬＡＮ）通信またはＢｌｕｅｔｏｏｔｈ（ＢＴ）通信のために使用される遠方場アンテナである、請求項２３に記載のワイヤレス通信デバイス。
【請求項３１】
ワイヤレス通信のための装置であって、
近接場通信（ＮＦＣ）型動作を近接場モードで実行すべきかそれとも遠方場モードで実行すべきかを決定するための手段と、
前記遠方場モードにあるとき、再利用されるアンテナを使用して近接場領域の外側でＮＦＣ型動作を実行するための手段と、
を備える装置。
【請求項３２】
前記ＮＦＣ型動作が、ＮＦＣプロトコルまたは無線周波数識別（ＲＦＩＤ）プロトコルに基づくワイヤレス通信を含む、請求項３１に記載の装置。
【請求項３３】
前記近接場領域の外側でＮＦＣ型動作を実行することが、前記再利用されるアンテナを使用して、遠方場領域の中で動作するキャリア信号を送信することまたは受信することを備える、請求項３１に記載の装置。
【請求項３４】
前記ＮＦＣ型動作が遠方場無線によって実行される、請求項３１に記載の装置。
【請求項３５】
前記再利用されるアンテナがＮＦＣループアンテナであり、ここにおいて、前記ＮＦＣ型動作がＮＦＣコントローラによって実行される、請求項３１に記載の装置。
【請求項３６】
前記再利用されるアンテナが、ＮＦＣコントローラおよびＦＭ受信機によって共有されるＦＭアンテナである、請求項３１に記載の装置。
【請求項３７】
前記再利用されるアンテナが、ワイヤレスワイドエリアネットワーク（ＷＷＡＮ）アンテナである、請求項３１に記載の装置。
【請求項３８】
前記再利用されるアンテナが、ワイヤレスローカルエリアネットワーク（ＷＬＡＮ）通信またはＢｌｕｅｔｏｏｔｈ（ＢＴ）通信のために使用される遠方場アンテナである、請求項３１に記載の装置。
【請求項３９】
ワイヤレス通信のためのコンピュータプログラム製品であって、前記コンピュータプログラム製品が、その上に命令を有する非一時的コンピュータ可読媒体を備え、前記命令が、
近接場通信（ＮＦＣ）型動作を近接場モードで実行すべきかそれとも遠方場モードで実行すべきかをワイヤレス通信デバイスに決定させるためのコードと、
前記遠方場モードにあるとき、再利用されるアンテナを使用して近接場領域の外側でＮＦＣ型動作を前記ワイヤレス通信デバイスに実行させるためのコードと、
を備える、コンピュータプログラム製品。
【請求項４０】
前記ＮＦＣ型動作が、ＮＦＣプロトコルまたは無線周波数識別（ＲＦＩＤ）プロトコルに基づくワイヤレス通信を含む、請求項３９に記載のコンピュータプログラム製品。
【請求項４１】
前記近接場領域の外側でＮＦＣ型動作を実行することが、前記再利用されるアンテナを使用して、遠方場領域の中で動作するキャリア信号を送信することまたは受信することを備える、請求項３９に記載のコンピュータプログラム製品。
【請求項４２】
前記ＮＦＣ型動作が遠方場無線によって実行される、請求項３９に記載のコンピュータプログラム製品。
【請求項４３】
前記再利用されるアンテナがＮＦＣループアンテナであり、ここにおいて、前記ＮＦＣ型動作がＮＦＣコントローラによって実行される、請求項３９に記載のコンピュータプログラム製品。
【請求項４４】
前記再利用されるアンテナが、ＮＦＣコントローラおよびＦＭ受信機によって共有されるＦＭアンテナである、請求項３９に記載のコンピュータプログラム製品。
【請求項４５】
前記再利用されるアンテナが、ワイヤレスワイドエリアネットワーク（ＷＷＡＮ）アンテナである、請求項３９に記載のコンピュータプログラム製品。
【請求項４６】
前記再利用されるアンテナが、ワイヤレスローカルエリアネットワーク（ＷＬＡＮ）通信またはＢｌｕｅｔｏｏｔｈ（ＢＴ）通信のために使用される遠方場アンテナである、請求項３９に記載のコンピュータプログラム製品。
【発明の詳細な説明】
【技術分野】
【０００１】
関連出願
[0001]本出願は、「ＳＹＳＴＥＭＳ  ＡＮＤ  ＭＥＴＨＯＤＳ  ＦＯＲ  ＦＡＲ−ＦＩＥＬＤ  ＣＯＭＭＵＮＩＣＡＴＩＯＮ  ＵＳＩＮＧ  ＡＮ  ＮＦＣ  ＡＮＴＥＮＮＡ」と題する２０１５年３月６日に出願された米国仮特許出願第６２／１２９，４３９号に関し、その優先権を主張する。本出願はまた、「ＳＹＳＴＥＭＳ  ＡＮＤ  ＭＥＴＨＯＤＳ  ＦＯＲ  ＦＡＲ−ＦＩＥＬＤ  ＣＯＭＭＵＮＩＣＡＴＩＯＮ  ＵＳＩＮＧ  Ａ  ＳＨＡＲＥＤ  ＡＮＴＥＮＮＡ」と題する２０１５年４月１０日に出願された米国仮特許出願第６２／１４６，０２２号に関し、その優先権を主張する。本出願はまた、「ＳＹＳＴＥＭＳ  ＡＮＤ  ＭＥＴＨＯＤＳ  ＦＯＲ  ＦＡＲ−ＦＩＥＬＤ  ＣＯＭＭＵＮＩＣＡＴＩＯＮ  ＵＳＩＮＧ  Ａ  ＳＨＡＲＥＤ  ＣＥＬＬＵＬＡＲ  ＡＮＴＥＮＮＡ」と題する２０１５年４月１３日に出願された米国仮特許出願第６２／１４６，８４４号に関し、その優先権を主張する。本出願はまた、「ＳＹＳＴＥＭＳ  ＡＮＤ  ＭＥＴＨＯＤＳ  ＦＯＲ  ＦＡＲ−ＦＩＥＬＤ  ＣＯＭＭＵＮＩＣＡＴＩＯＮ  ＵＳＩＮＧ  Ａ  ＳＨＡＲＥＤ  ＷＬＡＮ  ＯＲ  ＢＬＵＥＴＯＯＴＨ  ＡＮＴＥＮＮＡ」と題する２０１５年４月１３日に出願された米国仮特許出願第６２／１４６，８１７号に関し、その優先権を主張する。
【０００２】
[0002]説明する技術は、一般に、ワイヤレス通信の装置および方法に関する。より詳細には、本技術は、再利用されるアンテナを使用する、遠方場（far-field）領域の中での近接場通信（ＮＦＣ：near-field communication）型動作に関する。
【背景技術】
【０００３】
[0003]家庭またはオフィスにおけるワイヤレス通信環境は、一般に、いくつかの独立に開発された無線アクセス技術と無線アクセス規格とを含む。これらの技術は、当初、ターゲットアプリケーション用に設計されたものであり、これらのアプリケーションにとって比較的良好に実行する。一般の家庭またはオフィス環境では、コンテンツ（たとえば、ウェブ、ビデオなど）へのアクセスは、住宅所有者のＩＰバックホール接続を通じて広帯域モデムに提供される。たとえば、モバイルサービスは、家庭内またはオフィス内に配置されたマクロセルまたはフェムトセルのいずれかを通じて、セルラーネットワークを通じて提供される。ワイヤレスローカルエリアネットワーク（ＷＬＡＮ）アクセスポイント（ＡＰ）は、８０２．１１ベースのＷｉ−Ｆｉ（登録商標）技術を使用してコンピュータ、セルフォン、ラップトップ、プリンタ、および他のワイヤレスステーションの間のデータ接続性を提供する。
【０００４】
[0004]電子機器において現在実装されている別の通信媒体は、近接場通信（ＮＦＣ）である。電子機器におけるＮＦＣインターフェースの使用は、非接触集積回路カード（たとえば、無線周波数識別（ＲＦＩＤ：radio frequency identification）カード）の機能と類似の機能をポータブルデバイスに提供する。加えて、ＮＦＣインターフェースが設けられた電子機器は、通常、他のＮＦＣデバイスと通信するための無線周波数（ＲＦ）リーダーおよび／またはライターとして動作することが可能である。ＮＦＣの基本的側面は、ＲＦ範囲における電磁波の使用であり、情報コンテンツの伝送は、たとえば、ほぼ数センチメートルの範囲の中で、短距離にわたってのみ実現される。
【０００５】
[0005]ワイヤレス通信デバイスは、ＮＦＣ型技術を使用してリモートデバイスと通信し得る。ＮＦＣは、通常、電磁的な近接場領域の中で動作するので、通信は短距離に限定されることがある。近接場領域の外側でＮＦＣ型動作を実行するようにアンテナを再利用することによって、利点が実現され得る。
【発明の概要】
【０００６】
[0006]再利用されるアンテナを使用して遠方場領域の中で近接場通信（ＮＦＣ）型動作を実行するための方法が説明される。方法は、ＮＦＣ型動作を近接場モードで実行すべきかそれとも遠方場モードで実行すべきかを決定することを含む。方法は、遠方場モードにあるとき、再利用されるアンテナを使用して近接場領域の外側でＮＦＣ型動作を実行することをさらに含む。
【０００７】
[0007]ＮＦＣ型動作は、ＮＦＣプロトコルまたは無線周波数識別（ＲＦＩＤ）プロトコルに基づくワイヤレス通信を含み得る。
【０００８】
[0008]近接場領域の外側でＮＦＣ型動作を実行することは、再利用されるアンテナを使用して、遠方場領域の中で動作するキャリア信号を送信することまたは受信することを含み得る。ＮＦＣ型動作は、近放射領域、遷移領域、または放射領域の中で実行され得る。
【０００９】
[0009]一実装形態では、ＮＦＣ型動作を近接場モードで実行すべきかそれとも遠方場モードで実行すべきかを決定することは、近接場領域および遠方場領域の中でポーリングすることに基づき得る。別の実装形態では、ＮＦＣ型動作を近接場モードで実行すべきかそれとも遠方場モードで実行すべきかを決定することは、近接場モードまたは遠方場モードで動作するように構成されているソフトウェアアプリケーションを動作させることをユーザが選択することに基づき得る。また別の実装形態では、ＮＦＣ型動作を近接場モードで実行すべきかそれとも遠方場モードで実行すべきかを決定することは位置情報に基づき得る。
【００１０】
[0010]ＮＦＣ型動作は、遠方場無線によって実行され得る。再利用されるアンテナは、ＮＦＣループアンテナであってよい。ＮＦＣ型動作は、ＮＦＣコントローラによって実行され得る。
【００１１】
[0011]方法はまた、近接場モードで使用される第１のインピーダンスから遠方場モードで使用される第２のインピーダンスまで整合ネットワークを調整することを含み得る。第１のインピーダンスは、近接場周波数に一致する第１の共振ピークを生じさせ得、第２のインピーダンスは、遠方場周波数に一致する第２の共振ピークを生じさせ得る。
【００１２】
[0012]再利用されるアンテナは、ＮＦＣコントローラおよびＦＭ受信機によって共有されるＦＭアンテナであってよい。
【００１３】
[0013]再利用されるアンテナは、ワイヤレスワイドエリアネットワーク（ＷＷＡＮ）アンテナであってよい。ＷＷＡＮアンテナは、ダイプレクサを用いてＮＦＣコントローラおよびＷＷＡＮブロックに結合され得る。
【００１４】
[0014]再利用されるアンテナは、ワイヤレスローカルエリアネットワーク（ＷＬＡＮ）通信またはＢｌｕｅｔｏｏｔｈ（登録商標）（ＢＴ）通信のために使用される遠方場アンテナであってよい。ＷＬＡＮ動作およびＮＦＣ型動作は、共通の無線と遠方場アンテナとを共有し得る。共通の無線は、遠方場領域の中でのＮＦＣ型動作のために再構成可能なＷＬＡＮ８０２．１１ａｈ無線であってよい。ＷＬＡＮ動作およびＮＦＣ型動作からのベースバンド信号は、共通の無線へ多重化され得る。ＷＬＡＮ動作およびＮＦＣ型動作は、完全な同時実行のために低雑音増幅器（ＬＮＡ）を共有し得、電力増幅器（ＰＡ）を共有し得る。ＷＬＡＮのために使用されるメディアアクセス制御（ＭＡＣ）、モデム、および無線は、ＮＦＣ型動作のために再構成され得る。
【００１５】
[0015]方法はまた、ＮＦＣ型動作用の遠方場周波数が再利用されるアンテナによって単体でサポートされるかどうかを決定することを含み得る。再利用されるアンテナおよびＮＦＣループアンテナは、再利用されるアンテナによって単体でサポートされ得るよりも遠方場周波数が低いとき、近接場領域の外側でＮＦＣ型動作を実行するための複合アンテナを作成するために組み合わせられ得る。
【００１６】
[0016]方法はまた、ＮＦＣループアンテナを使用して近接場領域の内側で、および再利用されるアンテナを使用して近接場領域の外側で、同時のＮＦＣ型動作を実行することを含み得る。
【００１７】
[0017]近接場領域の外側でＮＦＣ型動作を実行することは、遠方場周波数を使用してポーリング周波数掃引を実行することを含み得る。
【００１８】
[0018]ワイヤレス通信デバイスも説明される。ワイヤレス通信デバイスは、プロセッサと、プロセッサと通信しているメモリと、メモリに記憶された命令とを含み得る。命令は、プロセッサによって、ＮＦＣ型動作を近接場モードで実行すべきかそれとも遠方場モードで実行すべきかを決定するように実行可能である。命令はまた、遠方場モードにあるとき、再利用されるアンテナを使用して近接場領域の外側でＮＦＣ型動作を実行するように実行可能である。
【００１９】
[0019]ワイヤレス通信のための装置も説明される。装置は、ＮＦＣ型動作を近接場モードで実行すべきかそれとも遠方場モードで実行すべきかを決定するための手段を含む。装置はまた、遠方場モードにあるとき、再利用されるアンテナを使用して近接場領域の外側でＮＦＣ型動作を実行するための手段を含む。
【００２０】
[0020]ワイヤレス通信のためのコンピュータプログラム製品も説明される。コンピュータプログラム製品は、その上に命令を有する非一時的コンピュータ可読媒体を含む。命令は、ＮＦＣ型動作を近接場モードで実行すべきかそれとも遠方場モードで実行すべきかをワイヤレス通信デバイスに決定させるためのコードを含む。命令はまた、遠方場モードにあるとき、再利用されるアンテナを使用して近接場領域の外側でＮＦＣ型動作をワイヤレス通信デバイスに実行させるためのコードを含む。
【図面の簡単な説明】
【００２１】
【図１】[0021]再利用されるアンテナを使用する、遠方場領域の中で近接場通信（ＮＦＣ）型動作を実行するためのワイヤレス通信システムの一構成を示すブロック図。
【図２】[0022]再利用されるを使用して遠方場領域の中でＮＦＣ型動作を実行するための方法を示すフロー図。
【図３】[0023]再利用されるアンテナを使用して遠方場領域の中でＮＦＣ型動作を実行するための別の方法を示すフロー図。
【図４】[0024]ＮＦＣループアンテナと再利用されるアンテナとを使用する、同時の近接場通信および遠方場通信のための方法を示すフロー図。
【図５】[0025]再利用されるＮＦＣアンテナを使用して遠方場領域の中でＮＦＣ型動作を実行するためのワイヤレス通信システムの一構成を示すブロック図。
【図６】[0026]ＮＦＣアンテナを使用する近接場通信のために構成されたワイヤレス通信デバイスの一例を示すブロック図。
【図７】[0027]ＮＦＣアンテナを使用する遠方場通信のために構成されたワイヤレス通信デバイスの別の例を示すブロック図。
【図８】[0028]ＮＦＣアンテナを使用する遠方場通信のために構成されたワイヤレス通信デバイスのまた別の例を示すブロック図。
【図９】[0029]近接場の外側の周波数を使用してポーリング周波数掃引を実行するための方法を示すフロー図。
【図１０】[0030]ＦＭアンテナを使用して遠方場領域の中でＮＦＣ型動作を実行するためのワイヤレス通信システムの一構成を示すブロック図。
【図１１】[0031]再利用されるＦＭアンテナを使用する、遠方場領域の中でのＮＦＣ型動作のために構成されたワイヤレス通信デバイスの一例を示すブロック図。
【図１２】[0032]再利用されるＦＭアンテナを使用する、遠方場領域の中でのＮＦＣ型動作のために構成されたワイヤレス通信デバイスの別の例を示すブロック図。
【図１３】[0033]ヘッドフォンアンテナを使用する、遠方場領域の中でのＮＦＣ型動作のために構成されたワイヤレス通信デバイスの一例を示すブロック図。
【図１４】[0034]ヘッドフォンアンテナを使用する、遠方場領域の中でのＮＦＣ型動作のために構成されたワイヤレス通信デバイスの別の例を示すブロック図。
【図１５】[0035]再利用されるワイヤレスワイドエリアネットワーク（ＷＷＡＮ）アンテナを使用して遠方場領域の中でＮＦＣ型動作を実行するためのワイヤレス通信システムの一構成を示すブロック図。
【図１６】[0036]再利用されるＷＷＡＮアンテナを使用する、遠方場領域の中でのＮＦＣ型動作のために構成されたワイヤレス通信デバイスの一例を示すブロック図。
【図１７】[0037]再利用される遠方場アンテナを使用する、遠方場領域の中でのＮＦＣ型動作のためのワイヤレス通信システムの一構成を示すブロック図。
【図１８】[0038]再利用される遠方場アンテナを使用する、遠方場の中でのＮＦＣ型動作のために構成されたワイヤレス通信デバイスの一例を示すブロック図。
【図１９】[0039]再利用される遠方場アンテナを使用する、遠方場領域の中でのＮＦＣ型動作のために構成されたワイヤレス通信デバイスの別の例を示すブロック図。
【図２０】[0040]再利用される遠方場アンテナを使用する、遠方場領域の中でのＮＦＣ型動作のために構成されたワイヤレス通信デバイスのまた別の例を示すブロック図。
【図２１】[0041]再利用される遠方場アンテナを使用する、遠方場領域の中でのＮＦＣ型動作のために構成されたワイヤレス通信デバイスの別の例を示すブロック図。
【図２２】[0042]ＮＦＣシステムを示すブロック図。
【図２３】[0043]トランシーバとリモートユニットとを含むＮＦＣ型システムの例示的な概略を示すブロック図。
【図２４】[0044]ワイヤレス通信デバイス内に含まれ得るいくつかの構成要素を示す図。
【発明を実施するための形態】
【００２２】
[0045]添付の図面に関して以下に記載する詳細な説明は、本開示の例示的な実装形態を説明するものであり、本開示が実践され得る唯一の実装形態を表すものではない。この説明全体にわたって使用する「例示的」という用語は、「例、事例、または例示の働きをすること」を意味し、必ずしも他の例示的な実装形態よりも好ましいまたは有利であると解釈すべきではない。発明を実施するための形態は、本開示の例示的な実装形態の完全な理解を与えるための具体的な詳細を含む。いくつかの事例では、いくつかのデバイスがブロック図の形態で示される。
【００２３】
[0046]説明を簡単にするために、方法論は一連の行為として図示および説明されるが、いくつかの行為は、１つまたは複数の態様によれば、本明細書で図示および説明する順序とは異なる順序で、および／または他の行為と同時に生じ得るので、方法論は行為の順序によって限定されないことを理解し、諒解されたい。たとえば、方法論が、状態図におけるような相互に関係する一連の状態またはイベントとして代替的に表現され得ることを、当業者は理解し、諒解するであろう。その上、１つまたは複数の態様に従って方法論を実施するために、図示したすべての行為が必要とされ得るとは限らない。
【００２４】
[0047]次に、様々な構成が図を参照しながら説明され、ここで、同様の参照番号は機能的に類似の要素を示し得る。本明細書で概略的に説明されるとともに図に示されるようなシステムおよび方法は、多種多様な異なる構成で構成および設計され得る。したがって、図に表されるようないくつかの構成の以下のより詳細な説明は、請求されるような範囲を限定するものではなく、システムおよび方法の代表にすぎない。
【００２５】
[0048]図１は、再利用されるアンテナ１１０を使用する、遠方場領域の中で近接場通信（ＮＦＣ）型動作を実行するためのワイヤレス通信システム１００の一構成を示すブロック図である。ワイヤレス通信システム１００は、リモートデバイス１０４と通信しているワイヤレス通信デバイス１０２を含み得る。
【００２６】
[0049]ＮＦＣ型技術を可能にするために、ワイヤレス通信デバイス１０２は、ＮＦＣループアンテナの周囲の電磁領域の非放射近接場の中に没して動作し得る。たとえば、いくつかのシナリオでは、ワイヤレス通信デバイス１０２は、電磁領域の近接場（本明細書で近接場領域と呼ぶ）の中で動作することによってリモートデバイス１０４と通信し得る。これらのシナリオは、たとえば、デバイスのペアリング、タップツーペイ（tap-to-pay）、およびチケット発行を含み得る。
【００２７】
[0050]これらのＮＦＣループアンテナは、それらの動作ＮＦＣ周波数に関連する波長に関して電気的に短絡している。近接場動作用のＮＦＣ周波数（たとえば、近接場周波数）は、１３．５６ＭＨｚであり得る。結果として、ＮＦＣループアンテナは、反応領域（たとえば、近接場領域）の中で主に誘導結合される。
【００２８】
[0051]この反応領域の結合は、それらのフィールド伝搬がＮＦＣループアンテナからの距離とともに遠方場通信に対するよりも高次で下降するので、ＮＦＣデバイスが通信できる範囲を基本的に限定する。実現不可能な大型のアンテナループ領域を有しないと、ＮＦＣデバイスが通信できる距離は、実質的に数センチメートルに限定される。
【００２９】
[0052]ＮＦＣ型技術からのより広い範囲が有益であろういくつかのシナリオがある。一例では、ＮＦＣ構成型デバイスを用いてパーソナルボディエリア（personal body area）ネットワークが実施され得る。別の例では、ＮＦＣ技術を使用してショッピングカート商品スキャニングが実施され得る。この例では、ＮＦＣタグまたはＲＦＩＤタグが装備された商品を、数センチメートルよりも長い距離からスキャンすることが有益であり得る。はるかに長い距離にわたってＮＦＣ型動作を実施することが有益であり得る他の例は、商品ステータス照会、倉庫スキャニング、およびＮＦＣ対応モバイルハンドセットを含む。
【００３０】
[0053]扱いにくいハンドヘルドリーダーまたはＮＦＣモバイル（たとえば、電話）ハンドセットの使用を可能にするために、これらおよび他のユースケースシナリオでは、やはりエリアが小さいＮＦＣアンテナが望まれる。したがって、もっと大型のアンテナを使用する必要性を要することなく、ＮＦＣ型動作の範囲を大きくすることが課題である。
【００３１】
[0054]ワイヤレス通信デバイス１０２は、遠方場領域の中で動作するように構成されているアンテナ構造を含み得る。アンテナ構造またはコイルは、より高い周波数の波長に関して物理的（および、電気的）に長いことがあり得る。したがって、関連するインピーダンス整合を伴うＮＦＣアンテナにとって１３．５６ＭＨｚからオフチューン（off-tune）であるより高い送信および受信キャリア周波数を選択することによって、ＮＦＣ型動作は遠方場領域の中で実行され得る。本明細書で使用するとき、遠方場領域は、近放射（たとえば、フレネル）領域、（放射に対する反応からの）遷移領域、および放射電磁領域のうちの１つまたは複数を含む。したがって、本明細書で使用するとき、遠方場通信は、近放射領域、遷移領域、または放射領域の中でのワイヤレス通信を含む。遠方場領域の中で動作するように構成されているアンテナ構造は、遠方場アンテナと呼ばれることがある。
【００３２】
[0055]本明細書で使用する「ＮＦＣ型動作」という用語は、ＮＦＣプロトコルまたはＲＦＩＤプロトコルに基づくワイヤレス通信を含む。これらの通信プロトコルは、ＮＦＣ規格またはＲＦＩＤ規格に基づき得る。ＮＦＣ型動作が遠方場領域の中で実施され得ることに留意されたい。たとえば、ＮＦＣ型動作は、遠方場ＲＦＩＤ動作および／または遠方場ＮＦＣ動作を含み得る。高周波キャリアを使用するＮＦＣ型動作は、高周波通信動作と呼ばれることがある。
【００３３】
[0056]ワイヤレス通信デバイス１０２は、遠方場通信ブロック１０８を含み得る。遠方場通信ブロック１０８は、遠方場領域の中でのワイヤレス通信のために構成され得る。遠方場通信ブロック１０８は、受信機、送信機、または受信機と送信機の両方（すなわち、トランシーバ）を含み得る。
【００３４】
[0057]遠方場通信ブロック１０８は、アンテナ構造を使用してワイヤレス通信動作を実行し得る。アンテナ構造は、アンテナ１１０と、遠方場領域の中で動作するように構成されたインピーダンス１１４を有する整合ネットワーク１１２とを含み得る。遠方場通信ブロック１０８の例は、ＦＭ受信機、ワイヤレスワイドエリアネットワーク（ＷＷＡＮ）（たとえば、セルラー）トランシーバ、ワイヤレスローカルエリアネットワーク（ＷＬＡＮ）（たとえば、ＷｉＦｉ（登録商標））トランシーバ、および／またはＢｌｕｅｔｏｏｔｈトランシーバを含む。
【００３５】
[0058]ワイヤレス通信デバイス１０２は、遠方場領域の中でＮＦＣ型動作を実行するためのＮＦＣ型動作モジュール１０６を含み得る。ＮＦＣ型動作モジュール１０６は、ハードウェアまたはソフトウェアで実装され得る。たとえば、一手法では、ＮＦＣ型動作モジュール１０６は、遠方場通信ブロック１０８とは別個であるＮＦＣコントローラであってよい。この手法では、ＮＦＣ型動作モジュール１０６は、遠方場通信ブロック１０８とともにチップの中に含まれ得る。代替として、ＮＦＣ型動作モジュール１０６および遠方場通信ブロック１０８は、別個のチップ上に含まれてもよい。
【００３６】
[0059]別の手法では、ＮＦＣ型動作モジュール１０６は、別個のＮＦＣコントローラを伴うかまたは伴わずにＮＦＣ型動作が実行されるソフトウェア実装であってよい。たとえば、ＮＦＣ型動作モジュール１０６は、既存の遠方場無線の中のソフトウェアサブシステムであってよい。このソフトウェアベースの手法は、ＮＦＣ型動作を実施するための新たなハードウェア構成要素を追加しないという利点を有する。
【００３７】
[0060]ワイヤレス通信デバイス１０２は、遠方場領域の中でＮＦＣ型動作を実行するために、遠方場通信ブロック１０８の既存の遠方場アンテナ構造を再利用し得る。本明細書で使用するとき、「再利用する」は、あるタイプのワイヤレス通信用に構成されたアンテナ１１０の、別のタイプのワイヤレス通信における使用を指す。たとえば、ワイヤレス通信デバイス１０２は、遠方場無線通信（たとえば、ＦＭ、ＷＷＡＮ、ＷＬＡＮ、Ｂｌｕｅｔｏｏｔｈ）用の使用のために構成された遠方場アンテナ１１０を、遠方場領域の中でＮＦＣ型動作を実行するために再利用し得る。別の例では、ワイヤレス通信デバイス１０２は、近接場領域の中で動作するように構成されているＮＦＣループアンテナを、遠方場領域の中でＮＦＣ型動作を実行するために再利用し得る。
【００３８】
[0061]ＮＦＣ構成型ワイヤレス通信デバイス１０２は、より高い周波数の波長に対して物理的（および、電気的）に長い構造とアンテナとを活用し得る。ワイヤレス通信デバイス１０２は、再利用されるアンテナ１１０を遠方場領域（すなわち、近放射または放射遠方場領域）の中で動作させるので、通信範囲を拡張するためのより大きな可能性がある。この手法では、ワイヤレス通信デバイス１０２は、反応領域の結合および関連する近接場の伝搬損失によって限定されない。
【００３９】
[0062]第１の実装形態では、再利用されるアンテナ１１０は、ＮＦＣループアンテナ自体であってよい。この実装形態では、ＮＦＣコントローラは、遠方場通信ブロック１０８とＮＦＣ型動作モジュール１０６の両方を実装し得る。この第１の実装形態は、図５〜図９に関してより詳細に説明される。
【００４０】
[0063]この第１の実装形態は、１３．５６ＭＨｚアンテナ１１０、および整合ネットワーク１１２のインピーダンス１１４の設計を変更しないこともあり得るが、それは、遠方場動作のための最適化調整を行うための能力を除外するものではなく、ＮＦＣ対応デバイスの通常の近接場通信動作を変更するものではない。この実装形態は、１３．５６ＭＨｚの動作周波数と、１３．５６ＭＨｚよりも高い動作周波数（すなわち、遠方場周波数）の両方の、リーダーとタグとの間の通信を可能にするために使用され得る。たとえば、リモートデバイス１０４は、（限定はしないが）２７．１２ＭＨｚ、４０．６８ＭＨｚ、４３３．９２ＭＨｚ、９１５ＭＨｚ、および２．４５ＧＨｚとしての周波数に中心がある周波数帯域の中で動作してよい。一構成では、これらの遠方場周波数が近接場周波数（たとえば、１３．５６ＭＨｚのＮＦＣ周波数）の高調波であってよいことに留意されたい。別の構成では、これらの遠方場周波数５２６は、近接場周波数の高調波である必要がない。
【００４１】
[0064]この第１の実装形態では、整合ネットワーク１１２は、近接場動作と遠方場動作の両方のために共有されてよい。しかしながら、この手法は、対応する近接場動作および遠方場動作のために２つの周波数において整合ネットワーク１１２が共振する必要があるので、両方の動作モードの折り合いをつけることがある。したがって、近接場動作および遠方場動作から整合ネットワーク１１２を減結合させることによって、利点が達成され得る。
【００４２】
[0065]第２の実装形態では、再利用されるアンテナ１１０は、ＦＭアンテナである。多くのモバイルハンドセットは、より高い周波数の波長に対して物理的（および、電気的）に長いＦＭラジオアンテナ構造を有する。このＦＭアンテナは、通常、ワイヤレス通信デバイス１０２に取り付けられるヘッドフォンケーブルの一部として実装される。関連するインピーダンス整合を伴う取り付けられたＦＭアンテナにとって１３．５６ＭＨｚからオフチューンであるより高い送信および受信ＮＦＣキャリア周波数を選択することによって、ＮＦＣ型動作が遠方場領域の中で実行され得る。この第２の実装形態は、図１０〜図１４に関してより詳細に説明される。
【００４３】
[0066]第３の実装形態では、再利用されるアンテナ１１０は、ＷＷＡＮアンテナである。この実装形態では、セルラーアンテナが、遠方場領域の中でのＮＦＣ型動作のために使用され得る。この実装形態は、ＮＦＣ型動作のためにＷＷＡＮアンテナを再利用し、ＮＦＣ型通信のための遠方場動作モードを追加する。この第３の実装形態は、図１５〜図１６に関してより詳細に説明される。
【００４４】
[0067]第４の実装形態では、再利用されるアンテナ１１０は、ＷＬＡＮアンテナまたはＢｌｕｅｔｏｏｔｈアンテナである。この実装形態では、ＷＬＡＮ通信またはＢｌｕｅｔｏｏｔｈ通信のために構成された遠方場アンテナが、ＮＦＣ型動作のために再利用され得る。この実装形態は、ＷＬＡＮアンテナまたはＢｌｕｅｔｏｏｔｈアンテナを再利用し、ＮＦＣ型通信のための遠方場動作モードを追加する。この第４の実装形態は、図１７〜図２１に関してより詳細に説明される。
【００４５】
[0068]図２は、再利用されるアンテナ１１０を使用して遠方場領域の中でＮＦＣ型動作を実行するための方法２００を示すフロー図である。方法２００は、ワイヤレス通信デバイス１０２によって実行され得る。ワイヤレス通信デバイス１０２は、遠方場通信ブロック１０８、および遠方場領域の中でのＮＦＣ型動作のために再利用され得るアンテナ１１０を用いて構成され得る。再利用されるアンテナ１１０は、ＮＦＣループアンテナ、または遠方場動作のために構成された別のアンテナ（たとえば、ＦＭアンテナ、ＷＷＡＮアンテナ、ＷＬＡＮアンテナ、またはＢｌｕｅｔｏｏｔｈアンテナ）であってよい。
【００４６】
[0069]ワイヤレス通信デバイス１０２は、近接場通信（ＮＦＣ）型動作を近接場モードで実行すべきかそれとも遠方場モードで実行すべきかを決定し得る（２０２）。ＮＦＣ型動作は、ＮＦＣプロトコルまたはＲＦＩＤプロトコルに基づくワイヤレス通信を含み得る。
【００４７】
[0070]近接場モードにあるとき、ワイヤレス通信デバイス１０２は、ＮＦＣループアンテナを使用して近接場領域の内側でＮＦＣ型動作を実行し得る。たとえば、近接場モードにある間、ワイヤレス通信デバイス１０２は、近接場周波数を有するキャリア信号を使用してリモートデバイス１０４と通信し得る。ＮＦＣの場合、キャリア信号の近接場周波数は、１３．５６ＭＨｚであり得る。通信は電磁的な近接場領域の中で動作し得る。ワイヤレス通信中、ワイヤレス通信デバイス１０２は、リモートデバイス１０４に誘導結合され得る。
【００４８】
[0071]遠方場モードにあるとき、ワイヤレス通信デバイス１０２は、ＮＦＣ型動作のために遠方場周波数を使用し得る。遠方場周波数は、近接場周波数（たとえば、１３．５６ＭＨｚ）よりも高い周波数であり得る。
【００４９】
[0072]ワイヤレス通信デバイス１０２は、近接場通信（ＮＦＣ）型動作を近接場モードで実行すべきかそれとも遠方場モードで実行すべきかを、様々な要因に基づいて決定し得る（２０２）。一実装形態では、ワイヤレス通信デバイス１０２は、ポーリングを実行し得る。ポーリングを用いて、ワイヤレス通信デバイス５０２は、どのシグナリング技術が使用され得るのか（たとえば、ＮＦＣ−Ａ、ＮＦＣ−Ｂ、ＮＦＣ−Ｆなど）を決定するために、リモートデバイス１０４と通信し得る。
【００５０】
[0073]ワイヤレス通信デバイス１０２は、ポーリングを近接場領域の中で、遠方場領域の中で、または両方で実行すべきと決定し得る（２０２）。近接場モードにあるとき、ワイヤレス通信デバイス１０２は、近接場周波数を使用して近接場領域の中でリモートデバイス１０４をポーリングし得る。遠方場モードにあるとき、ワイヤレス通信デバイス１０２は、遠方場周波数を使用して遠方場領域の中でリモートデバイス１０４をポーリングし得る。
【００５１】
[0074]一実装形態では、ワイヤレス通信デバイス１０２は、近接場モードまたは遠方場モードで個別にポーリングを実行すべきと決定し得る（２０２）。たとえば、ワイヤレス通信デバイス１０２が、近接場領域と遠方場領域の両方の中でＮＦＣ型動作を実行するための単一の無線を有する場合、ワイヤレス通信デバイス１０２は、近接場領域の中および遠方場領域の中で動作するための時間をスケジュールし得る。これらの時間は、単一の無線が近接場モードと遠方場モードとの間で切り替えることを可能にするために、インターリーブされた方式でスケジュールされ得る。
【００５２】
[0075]別の実装形態では、ワイヤレス通信デバイス１０２は、近接場モードまたは遠方場モードで同時にポーリングを実行すべきと決定し得る（２０２）。たとえば、ワイヤレス通信デバイス１０２が、近接場領域の中でＮＦＣ型動作を実行するための無線と遠方場領域の中でＮＦＣ型動作を実行するための別個の無線とを有する場合、ワイヤレス通信デバイス１０２は、近接場領域の中および遠方場領域の中でＮＦＣ型動作を同時に実行し得る。遠方場動作は、近接場無線への雑音として現れることがあり、逆も同様である。たとえば、ワイヤレス通信デバイス１０２は、遠方場領域の中でＮＦＣ型動作を同時に実行している間、近接場領域の中で低電力ＮＦＣタグ検出を実行し得る。
【００５３】
[0076]別の実装形態では、ワイヤレス通信デバイス１０２は、ＮＦＣ型動作を近接場モードで実行すべきかそれとも遠方場モードで実行すべきかを、所与のアプリケーションがワイヤレス通信デバイス１０２上で実行していることに基づいて決定し得る（２０２）。たとえば、ワイヤレス通信デバイス１０２上のプログラム（たとえば、ａｐｐ）は、近接場モードまたは遠方場モードで動作するように構成され得る。ユーザまたは自動化プロセスが、所与の動作モードを選択し得る。たとえば、ユーザは、遠方場モードで動作するモバイル支払いアプリケーションを選択し得る。この選択結果の表示を受けると、ワイヤレス通信デバイス１０２は、遠方場モードでＮＦＣ型動作を実行すべきと決定し得る（２０２）。
【００５４】
[0077]また別の実装形態では、ワイヤレス通信デバイス１０２は、ＮＦＣ型動作を近接場モードで実行すべきかそれとも遠方場モードで実行すべきかを、位置情報に基づいて決定し得る（２０２）。ワイヤレス通信デバイス１０２は、位置情報を取得し得、その位置情報に基づいて近接場モードまたは遠方場モードを選択し得る。たとえば、位置情報に基づいて、ワイヤレス通信デバイス１０２は、遠方場領域の中でのＮＦＣ型動作を使用して商品スキャニングを実行できる食料雑貨店に入りつつあると決定し得る。
【００５５】
[0078]一実装形態では、位置情報は、ワイヤレス通信デバイス１０２のＧＰＳ座標であってよい。ワイヤレス通信デバイス１０２は、現在のＧＰＳ座標に基づいて近接場モードを選択すべきかそれとも遠方場モードを選択すべきかを決定するために、データベースを照会し得る。
【００５６】
[0079]別の実装形態では、位置情報は、一意の識別情報（ＩＤ）を提供するビーコンまたはタグから取得され得る。ワイヤレス通信デバイス１０２は、一意のＩＤを決定するためにビーコンまたはタグをスキャンし得る。ワイヤレス通信デバイス１０２は、次いで、ビーコンまたはタグの位置を決定するためにデータベースを照会し得る。この位置情報に基づいて、ワイヤレス通信デバイス１０２は、近接場モードまたは遠方場モードを選択し得る。この実装形態は、ＧＰＳまたは他のブロードキャスト信号が利用可能でないことがある屋内動作において有益であり得る。
【００５７】
[0080]また別の実装形態では、ワイヤレス通信デバイス１０２は、ＮＦＣ型動作を近接場モードで実行すべきかそれとも遠方場モードで実行すべきかを、ＮＦＣ型動作を実行するために利用可能な無線のタイプに基づいて決定し得る（２０２）。たとえば、ワイヤレス通信デバイス１０２が利用可能な遠方場無線しか有しない場合、ワイヤレス通信デバイス１０２は、遠方場モードでＮＦＣ型動作を実行すべきと決定し得る（２０２）。
【００５８】
[0081]ワイヤレス通信デバイス１０２は、再利用されるアンテナ１１０を使用して近接場領域の外側でＮＦＣ型動作を実行し得る（２０４）。ワイヤレス通信デバイス１０２は、遠方場領域（たとえば、近放射領域、遷移領域、または放射領域）の中で、１つまたは複数のリモートデバイス１０４と通信し得る。たとえば、ワイヤレス通信デバイス１０２は、再利用されるアンテナ１１０と、遠方場周波数に同調された整合ネットワーク１１２（たとえば、遠方場整合ネットワーク）とを使用して、近接場領域の外部で動作するキャリア信号を送信または受信し得る。
【００５９】
[0082]一実装形態では、ＮＦＣコントローラは、再利用されるアンテナ１１０を使用して遠方場領域の中でＮＦＣ型動作を実行し得る（２０４）。別の実装形態では、ＮＦＣ型動作は、遠方場無線（たとえば、ＷＷＡＮ無線、ＷＬＡＮ無線、またはＢｌｕｅｔｏｏｔｈ無線）によって実行され得る（２０４）。この実装形態では、ＮＦＣ型動作は、遠方場無線のサブシステムによって実行され得る。
【００６０】
[0083]図３は、再利用されるアンテナ１１０を使用して遠方場領域の中でＮＦＣ型動作を実行するための別の方法３００を示すフロー図である。方法３００は、ワイヤレス通信デバイス１０２によって実行され得る。ワイヤレス通信デバイス１０２は、遠方場通信ブロック１０８、ＮＦＣ回路構成、および遠方場領域の中でのＮＦＣ型動作のために再利用され得るアンテナ１１０を用いて構成され得る。
【００６１】
[0084]ＮＦＣ回路構成は、ＮＦＣコントローラと、ＮＦＣループアンテナと、整合ネットワーク１１２とを含み得る。再利用されるアンテナ１１０は、ＮＦＣループアンテナ、ＦＭアンテナ、ＷＷＡＮアンテナ、ＷＬＡＮアンテナ、またはＢｌｕｅｔｏｏｔｈアンテナであり得る。再利用されるアンテナ１１０は、ＮＦＣコントローラによる使用のために再利用され得る。代替として、再利用されるアンテナ１１０は、ワイヤレス通信デバイス１０２の既存の構造（たとえば、プリント基板（ＰＣＢ）トレース、接地層、および金属構造）から作成されたハイブリッドアンテナであり得る。
【００６２】
[0085]ワイヤレス通信デバイス１０２は、近接場モードにあるとき、ＮＦＣループアンテナを使用して近接場領域の内側でＮＦＣ型動作を実行し得る（３０２）。たとえば、近接場モードにある間、ワイヤレス通信デバイス１０２は、近接場周波数を有するキャリア信号を使用してリモートデバイス１０４と通信し得る。ＮＦＣの場合、キャリア信号の近接場周波数は、１３．５６ＭＨｚであり得る。通信は電磁的な近接場領域の中で動作し得る。ワイヤレス通信中、ワイヤレス通信デバイス１０２は、リモートデバイス１０４に誘導結合され得る。
【００６３】
[0086]ワイヤレス通信デバイス１０２は、遠方場モードに切り替え得る（３０４）。遠方場モードにあるとき、ワイヤレス通信デバイス１０２は、遠方場周波数に切り替え得る。遠方場周波数は、近接場周波数（たとえば、１３．５６ＭＨｚ）よりも高い周波数であり得る。一構成では、遠方場周波数は、近接場周波数の高調波であり得る。ワイヤレス通信デバイス１０２は、遠方場周波数を使用してキャリア信号を生成し得る。
【００６４】
[0087]ワイヤレス通信デバイス１０２は、再利用されるアンテナ１１０を使用して近接場領域の外側でＮＦＣ型動作を実行し得る（３０６）。ワイヤレス通信デバイス１０２は、遠方場領域（たとえば、近放射領域、遷移領域、または放射領域）の中で、１つまたは複数のリモートデバイス１０４と通信し得る。たとえば、ワイヤレス通信デバイス１０２は、再利用される遠方場アンテナ１１０と、遠方場周波数に同調された整合ネットワーク１１２（たとえば、遠方場整合ネットワーク）とを使用して、近接場領域の外部で動作するキャリア信号を送信または受信し得る。１つまたは複数のリモートデバイス１０４は、近接場の外部で動作するように同調され得る。
【００６５】
[0088]ワイヤレス通信デバイス１０２は、遠方場周波数が再利用されるアンテナ１１０によって単体でサポートされるかどうかを決定し得る。再利用されるアンテナ１１０によって単体でサポートされ得るよりも遠方場周波数が低い場合、ワイヤレス通信デバイス１０２は、遠方場領域の中でのＮＦＣ型動作用の複合アンテナを作成するために、再利用されるアンテナ１１０をＮＦＣループアンテナと組み合わせ得る。
【００６６】
[0089]図４は、ＮＦＣループアンテナと再利用されるアンテナ１１０とを使用する、同時の近接場通信および遠方場通信のための方法４００を示すフロー図である。方法４００は、ワイヤレス通信デバイス１０２によって実行され得る。ワイヤレス通信デバイス１０２は、遠方場通信ブロック１０８、ＮＦＣ回路構成、および遠方場領域の中でのＮＦＣ型動作のために再利用され得るアンテナ１１０を用いて構成され得る。
【００６７】
[0090]ＮＦＣ回路構成は、ＮＦＣコントローラと、ＮＦＣループアンテナと、整合ネットワーク１１２とを含み得る。再利用されるアンテナ１１０は、ＮＦＣループアンテナ、ＦＭアンテナ、ＷＷＡＮアンテナ、ＷＬＡＮアンテナ、またはＢｌｕｅｔｏｏｔｈアンテナであってよい。再利用されるアンテナ１１０は、ＮＦＣコントローラによる使用のために再利用され得る。代替として、再利用されるアンテナ１１０は、ワイヤレス通信デバイス１０２の既存の構造（たとえば、（ＰＣＢ）トレース、接地層、および金属構造）から作成されたハイブリッドアンテナであってよい。
【００６８】
[0091]ワイヤレス通信デバイス１０２は、ＮＦＣループアンテナを使用して近接場領域の内側でＮＦＣ型動作を実行し得る（４０２）。たとえば、ワイヤレス通信デバイス１０２は、近接場周波数を有するキャリア信号を使用してリモートデバイス１０４と通信し得る。ＮＦＣの場合、キャリア信号の近接場周波数は、１３．５６ＭＨｚであってよい。通信は電磁的な近接場領域の中で動作し得る。ワイヤレス通信中、ワイヤレス通信デバイス１０２は、リモートデバイス１０４に誘導結合され得る。
【００６９】
[0092]ワイヤレス通信デバイス１０２はまた、再利用されるアンテナ１１０を使用して近接場の外側で同時のＮＦＣ型動作を実行し得る（４０４）。たとえば、同時のワイヤレス通信では、ワイヤレス通信デバイス１０２は、近接場周波数を使用してＮＦＣ型動作を、および１つまたは複数の遠方場周波数を使用して近接場領域の外部でＮＦＣ型動作を実行し得る。
【００７０】
[0093]近接場キャリアおよび遠方場キャリアは、読取り動作と書込み動作の両方のために使用され得る。たとえば、ワイヤレス通信デバイス１０２は、遠方場周波数を有するキャリア信号を使用し再利用されるアンテナ１１０を使用して第１のリモートデバイス１０４と通信し得る。ワイヤレス通信デバイス１０２は、同時に、近接場周波数を有するキャリア信号を使用しＮＦＣループアンテナを使用して第２のリモートデバイス１０４と通信し得る。
【００７１】
[0094]図５は、再利用されるＮＦＣアンテナ５１０を使用して遠方場領域の中でＮＦＣ型動作を実行するためのワイヤレス通信システム５００の一構成を示すブロック図である。ワイヤレス通信システム５００は、リモートデバイス５０４と通信しているワイヤレス通信デバイス５０２を含み得る。一構成では、ワイヤレス通信デバイス５０２およびリモートデバイス５０４は、誘導結合型通信を使用して通信し得る。
【００７２】
[0095]誘導結合型通信の一実装形態では、ワイヤレス通信デバイス５０２およびリモートデバイス５０４は、近接場通信（ＮＦＣ）を使用し得る。近接場通信のコンテキストでは、通信する２つのデバイス、すなわち、イニシエータおよびターゲットがある。ワイヤレス通信デバイス５０２がイニシエータＮＦＣデバイスであり得、リモートデバイス５０４がターゲットＮＦＣデバイスであり得る。イニシエータＮＦＣデバイスのアンテナ５１０は、ターゲットＮＦＣデバイスのアンテナ５１６によって受信される放射界（磁界または電磁場とも呼ばれる）を発生させる。リモートデバイス５０４（たとえば、ターゲットＮＦＣデバイス）は、送信機と受信機とを有する。ワイヤレス通信デバイス５０２（たとえば、イニシエータＮＦＣデバイス）も、送信機と受信機とを有する。イニシエータＮＦＣデバイスは、ポーラー（poller）、ポーリングデバイス、リーダー、またはイニシエータと呼ばれることもある。ターゲットＮＦＣデバイスは、リスナー（listener）、リスニングデバイス、タグ、またはターゲットと呼ばれることもある。
【００７３】
[0096]リモートデバイス５０４およびワイヤレス通信デバイス５０２は、互いに通信するために１つまたは複数のＮＦＣシグナリング技術を使用し得る。ＮＦＣシグナリング技術は、ＮＦＣタイプＡと、ＮＦＣタイプＢと、ＮＦＣタイプＦとを含み得る。ＮＦＣシグナリング技術は、採用される変調方式で異なる。
【００７４】
[0097]ＮＦＣは、ＮＦＣシグナリング技術のサブセットをサポートする異なる４つのタグタイプを有する。タイプ１タグ（Ｔ１Ｔ）は、データ衝突保護を伴わないＮＦＣタイプＡ通信を使用する。タイプ２タグ（Ｔ２Ｔ）は、衝突回避を伴うＮＦＣタイプＢ通信を使用する。タイプ３タグ（Ｔ３Ｔ）は、衝突回避を伴うＮＦＣタイプＦを使用する。タイプ４タグ（Ｔ４Ｔ）は、ＮＦＣタイプＡ（Ｔ４ＡＴ）または衝突回避を伴うＮＦＣタイプＢ（Ｔ４ＢＴ）のいずれかを使用することができる。
【００７５】
[0098]一構成では、ワイヤレス通信デバイス５０２およびリモートデバイス５０４は、フレームＲＦインターフェース、ＩＳＯデータ交換プロトコル（ＤＥＰ：data exchange protocol）ＲＦインターフェース、およびＮＦＣ−ＤＥＰ  ＲＦインターフェースなどの、様々なインターフェースを通じてＮＦＣを使用して通信するように動作可能であり得る。別の構成では、ワイヤレス通信デバイス５０２およびリモートデバイス５０４は、論理リンク制御プロトコル（ＬＬＣＰ：logical link control protocol）を通じて規定されるリンク層接続を用いて、ＮＦＣ−ＤＥＰ  ＲＦプロトコルベースの通信リンクを確立し得る。さらに別の構成では、ワイヤレス通信デバイス５０２およびリモートデバイス５０４は、アクセスネットワークおよび／またはコアネットワーク（たとえば、ＣＤＭＡネットワーク、ＧＰＲＳネットワーク、ＵＭＴＳネットワーク、ならびに他のタイプのワイヤラインおよびワイヤレス通信ネットワーク）に接続されるように動作可能であり得る。
【００７６】
[0099]ワイヤレス通信デバイス５０２は、近くのＮＦＣデバイスを求めてポーリングし得る。リモートデバイス５０４は、ワイヤレス通信デバイス５０２の数センチメートル内に来ているとき、リッスンし始め得る。ワイヤレス通信デバイス５０２は、次いで、どのシグナリング技術が使用され得るのかを決定するためにリモートデバイス５０４と通信する。ある場合には、ワイヤレス通信デバイス５０２は、リーダーとして働いていることがある。一例では、ユーザは、支払いトランザクションを開始するためにワイヤレス通信デバイス５０２をリモートデバイス５０４の近傍に置くことがある。
【００７７】
[00100]ワイヤレス通信デバイス５０２は、リモートデバイス５０４と通信するためにＲＦフィールドを生成し得る。ワイヤレス通信デバイス５０２は、信号（たとえば、データ）をリモートデバイス５０４へ送信するためにＲＦフィールドを変調し得る。リモートデバイス５０４がその信号を受信すると、ワイヤレス通信デバイス５０２は、ＲＦフィールドを維持するために連続波を送信してよい。連続波は、キャリア周波数を有し得る。ＮＦＣの場合、キャリア周波数は、１３．５６メガヘルツ（ＭＨｚ）であり得る。
【００７８】
[00101]ＮＦＣ動作において、リモートデバイス５０４は、ＲＦフィールドを受信し得る。リモートデバイス５０４は、連続波に重ねて変調を実行することによって応答し得る。ワイヤレス通信デバイス５０２は、被変調信号を受信し得、それを復号しようと試み得る。
【００７９】
[00102]ワイヤレス通信デバイス５０２は、近接場領域の外側でＮＦＣ型動作を実行するためにＮＦＣアンテナ５１０を再利用し得る。この実装形態では、再利用されるアンテナ１１０は、ＮＦＣアンテナ５１０である。ＮＦＣ構成型ワイヤレス通信デバイス５０２は、ＮＦＣアンテナ構造（または、コイル）がより高い周波数の波長に対して物理的（および、電気的）に長いという事実を活用し得る。したがって、ワイヤレス通信デバイス５０２は、近接場通信（ＮＦＣ）アンテナ回路構成を依然として使用しながら近接場領域の外部でワイヤレス通信を実行するために、より高い送信および受信キャリア周波数を選択し得る。
【００８０】
[00103]リモートデバイス５０４とのワイヤレス通信中、ワイヤレス通信デバイス５０２は、ＮＦＣアンテナ回路構成を使用して、近接場領域の外部で動作する信号を送信または受信し得る。信号は、１３．５６メガヘルツ（ＭＨｚ）よりも高いキャリア周波数を有するキャリア信号５１８であってよい。リモートデバイス５０４は、タグ（たとえば、ＲＦＩＤタグまたはＮＦＣタグ）、または近接場領域の外側でも動作するように構成されているＮＦＣ搭載ハンドセットデバイスであってよい。
【００８１】
[00104]遠方場周波数５２６に対して、ワイヤレス通信デバイス５０２は、関連するインピーダンス５１４の整合を伴うＮＦＣアンテナにとって１３．５６ＭＨｚからオフチューンで送信および受信し得る。通信動作は遠方場領域の中で達成され得る。
【００８２】
[00105]ワイヤレス通信デバイス５０２が近放射または放射遠方場の中でＮＦＣアンテナ５１０を使用し得るので、ワイヤレス通信デバイス５０２は、通信範囲を拡張し得る。ワイヤレス通信デバイス５０２は、したがって、反応領域の結合および関連する近接場の伝搬損失によって限定されない。言い換えれば、ワイヤレス通信デバイス５０２は、ＮＦＣアンテナ回路構成を使用して無線周波数（ＲＦ）通信を実施し得る。
【００８３】
[00106]ワイヤレス通信デバイス５０２は、遠方場動作のためにＮＦＣアンテナ５１０を再利用し得る。ワイヤレス通信デバイス５０２はまた、ワイヤレス通信デバイス５０２が近接場周波数５２４（たとえば、１３．５６ＭＨｚ）よりも高い遠方場周波数５２６においてキャリア周波数を生成する、遠方場通信のための動作モードを追加し得る。したがって、ワイヤレス通信デバイス５０２は、遠方場（たとえば、遷移領域または近放射領域）通信機能をＮＦＣに追加し得る。
【００８４】
[00107]説明するシステムおよび方法は、１３．５６ＭＨｚの動作周波数と、１３．５６ＭＨｚよりも高い動作周波数の両方の、リーダー（たとえば、ＮＦＣ搭載ハンドセット）とタグとの間の通信を可能にするために使用され得る。
【００８５】
[00108]一実装形態では、ワイヤレス通信デバイス５０２は、ＮＦＣプロトコルを使用して遠方場ワイヤレス通信を実施し得る。たとえば、ワイヤレス通信デバイス５０２は、ＮＦＣプロトコルに従ってリモートデバイス５０４とともにキャリア信号５１８のキャリア変調を実行し得る。リモートデバイス５０４は、受信キャリア信号５１８の能動負荷変調（ＡＬＭ：active load modulation）または受動負荷変調（ＰＬＭ：passive load modulation）を実行し得る。ただし、１３．５６ＭＨｚよりも高いキャリア周波数がキャリア信号５１８に対して使用されてよい。ＡＬＭの場合、ワイヤレス通信デバイス５０２およびリモートデバイス５０４は、遠方場周波数５２６におけるキャリア信号５１８を生成することを交代し得る。
【００８６】
[00109]キャリア変調の一例では、ワイヤレス通信デバイス５０２は、メッセージを送信するためにそれ自体の発信キャリア信号５１８を変調し得る。リモートデバイス５０４は、この着信キャリア信号５１８を受動的または能動的に負荷変調し得、したがって、負荷変調信号を用いて応答し得る。リモートデバイス５０４はまた、それ自体のキャリア信号５１８を送信する際に向きを転じてよく、メッセージをワイヤレス通信デバイス５０２へ返送するためにキャリア信号５１８を変調する。
【００８７】
[00110]さらに、ワイヤレス通信デバイス５０２は、ＮＦＣにおけるようにリモートタグに電力供給し得るが、このことは近接場の外側の電磁領域の中で達成され得る。追加として、リモートデバイス５０４のポーリングがＮＦＣプロトコルに従って達成され得るが、ポーリングは、１３．５６ＭＨｚよりも高い１つまたは複数のキャリア周波数において行われ得る。
【００８８】
[00111]一実装形態では、ワイヤレス通信デバイス５０２は、ＮＦＣブロック５２０とＮＦＣアンテナ回路構成とを含み得る。ＮＦＣアンテナ回路構成は、整合ネットワーク５１２とＮＦＣアンテナ５１０とを含み得る。ＮＦＣアンテナ５１０は、ループアンテナまたはコイルアンテナであってよい。整合ネットワーク５１２は、ＮＦＣ周波数（たとえば、１３．５６ＭＨｚ）においてＮＦＣアンテナ５１０の回路構成の中に共振を生じさせるように構成されている特定のインピーダンス５１４を有し得る。
【００８９】
[00112]一構成では、ＮＦＣブロック５２０は、ＮＦＣコントローラであってよい。ＮＦＣブロック５２０は、近接場動作モジュール５２２と遠方場動作モジュール５０６とを含み得る。近接場動作モジュール５２２は、通常のＮＦＣ型動作を実施し得る。通常の近接場モードにあるとき、ワイヤレス通信デバイス５０２は、近接場領域の中でリモートデバイス５０４と通信するために近接場周波数５２４（たとえば、１３．５６ＭＨｚ）においてキャリア周波数を生成し得る。
【００９０】
[00113]遠方場動作モジュール５０６は、ＮＦＣアンテナ回路構成を使用して近接場領域の外部でワイヤレス通信を実施し得る。遠方場モードにあるとき、ワイヤレス通信デバイス５０２は、リモートデバイス５０４と通信するために１３．５６ＭＨｚよりも高い遠方場周波数５２６においてキャリア周波数を生成し得る。リモートデバイス５０４は、近接場領域の外部で動作するように同様に同調され得る。たとえば、リモートデバイス５０４は、遠方場キャリア信号５１８を受信および送信するためにＮＦＣアンテナ回路構成を使用するように構成され得る。
【００９１】
[00114]一実装形態では、ワイヤレス通信デバイス５０２は、１３．５６ＭＨｚのＮＦＣアンテナ５１０、および近接場領域の外部でのワイヤレス通信のためのインピーダンス５１４の整合の設計を維持し得る。言い換えれば、ワイヤレス通信デバイス５０２は、近接場動作と遠方場動作の両方のために、ＮＦＣアンテナ５１０と整合ネットワーク５１２のインピーダンス５１４とを再使用し得る。したがって、この実装形態では、ワイヤレス通信デバイス５０２は、ＮＦＣ対応デバイスの通常の近接場通信動作を変更しなくてよい。
【００９２】
[00115]別の実装形態では、ワイヤレス通信デバイス５０２は、近接場動作中に使用される第１のインピーダンス５１４から遠方場動作中に使用される第２のインピーダンス５１４まで整合ネットワーク５１２を調整し得る。この実装形態では、整合ネットワーク５１２のインピーダンス５１４は、遠方場周波数５２６に対して最適化され得る。第１のインピーダンス５１４は、近接場周波数５２４に一致する第１の共振ピークを生じさせ得る。第２のインピーダンス５１４は、遠方場周波数５２６に一致する第２の共振ピークを生じさせ得る。
【００９３】
[00116]近接場キャリア（たとえば、１３．５６ＭＨｚ）と遠方場キャリアの両方が読取り動作と書込み動作の両方のために使用され得ることに留意されたい。一実装形態では、ワイヤレス通信デバイス５０２は、ＮＦＣアンテナ回路構成を使用して近接場領域の外部で同時のワイヤレス通信を実行し得る。同時のワイヤレス通信では、ワイヤレス通信デバイス５０２は、（近接場周波数５２４を使用する）通常のＮＦＣ通信と（１つまたは複数の遠方場周波数５２６を使用する）近接場領域の外部でのワイヤレス通信の両方を実行し得る。
【００９４】
[00117]近接場キャリアおよび遠方場キャリアは、読取り動作と書込み動作の両方のために使用され得る。たとえば、ワイヤレス通信デバイス５０２は、遠方場周波数５２６を有するキャリア信号５１８を使用して第１のリモートデバイス５０４と通信し得る。ワイヤレス通信デバイス５０２は、同時に、近接場周波数５２４を有するキャリア信号５１８を使用して第２のリモートデバイス５０４と通信し得る。
【００９５】
[00118]別の実装形態では、ワイヤレス通信デバイス５０２は、近接場周波数５２４を使用する第２のリモートデバイス５０４との読取り動作および書込み動作とは別個の時間において、遠方場周波数５２６を使用して第１のリモートデバイス５０４との読取り動作と書込み動作とを実行し得る。この実装形態では、ワイヤレス通信デバイス５０２は、近接場周波数５２４および各遠方場周波数５２６のための別個の時間において、遠方場キャリア信号５１８を送信または受信し得る。
【００９６】
[00119]ワイヤレス通信デバイス５０２は、異なる周波数に対して複数のモードで動作し得る。一構成では、遠方場動作モジュール５０６は、複数の遠方場周波数５２６を使用してワイヤレス通信を実行するように構成され得る。たとえば、遠方場動作モジュール５０６は、２７．１２ＭＨｚ、４０．６８ＭＨｚ、４３３．９２ＭＨｚ、９１５ＭＨｚ、または２．４５ＧＨｚのキャリア周波数を使用して、１つまたは複数のリモートデバイス５０４とワイヤレス通信を実行し得る。
【００９７】
[00120]また別の実装形態では、ワイヤレス通信デバイス５０２は、１つまたは複数の遠方場周波数５２６を使用してポーリングを実行し得る。たとえば、ポーリングモジュール５２８は、近接場の外側の周波数を使用してポーリング周波数掃引を実行し得る。遠方場周波数５２６において動作している１つまたは複数のリモートデバイス５０４をポーリングするために、このことが行われ得る。
【００９８】
[00121]説明するシステムおよび方法は、近接場領域の外側でのＮＦＣベースの通信をもたらす。したがって、ＮＦＣの範囲は拡張され得る。説明するシステムおよび方法は、設計と実装とを簡略化するために既存のＮＦＣ回路構成（たとえば、整合ネットワーク５１２およびＮＦＣアンテナ５１０）を維持し得る。しかしながら、改善された性能を達成するために、さらなる最適化調整（たとえば、整合ネットワーク５１２のインピーダンス５１４の調整）が行われ得る。追加として、ワイヤレス通信デバイス５０２とリモートデバイス５０４との間の通信が近接場の外側で生じるので、通信は磁気結合に起因する干渉を受けにくい。
【００９９】
[00122]図６は、ＮＦＣアンテナ６１０を使用する近接場通信のために構成されたワイヤレス通信デバイス６０２の一例を示すブロック図である。ワイヤレス通信デバイス６０２は、整合ネットワーク６１２ａに結合された送信機６３２と受信機６３４とを含む、ＮＦＣブロック６２０を含み得る。整合ネットワーク６１２ａは、信号を送信および受信し得るＮＦＣアンテナ６１０に結合され得る。整合ネットワーク６１２ａは、アンテナ回路構成内に共振ピークを生じさせるインピーダンスを有し得る。
【０１００】
[00123]送信機６３２は、キャリア信号６１８を生成し得る。キャリア信号６１８は、近接場領域６３０の中でリモートデバイスと通信するための近接場周波数６２４（たとえば、１３．５６ＭＨｚ）を有し得る。代替として、キャリア信号６１８は、近接場領域６３０の外側のリモートデバイスと通信するための遠方場周波数６２６を有してもよい。遠方場周波数６２６は、近接場周波数６２４よりも高くてよい。
【０１０１】
[00124]リモートデバイスは、ＲＦＩＤタグまたはＮＦＣデバイスであってよい。リモートデバイスは、アンテナ６１６と整合ネットワーク６１２ｂとを含み得る。
【０１０２】
[00125]この例では、ワイヤレス通信デバイス６０２は、近接場領域６３０の中でリモートデバイスと近接場通信（ＮＦＣ）を実行し得る。したがって、送信機６３２は、１３．５６ＭＨｚとしてのＮＦＣ周波数を有するキャリア信号６１８を生成し得る。この場合、ワイヤレス通信デバイス６０２は、リモートデバイスと誘導結合され得る。
【０１０３】
[00126]リモートデバイスとの通信中、ワイヤレス通信デバイス６０２およびリモートデバイスは、キャリア変調を実行し得る。ワイヤレス通信デバイス６０２は、リモートデバイスとの通信および電力伝達のために１３．５６ＭＨｚのキャリア信号６１８を使用し得る。たとえば、ワイヤレス通信デバイス６０２は、メッセージを送信するためにそれ自体の発信キャリア信号６１８を変調し得る。リモートデバイスは、この着信キャリア信号６１８を受動的または能動的に負荷変調し得、したがって、負荷変調信号を用いて応答し得る。リモートデバイスはまた、それ自体のキャリア信号６１８を送信する際に向きを転じてよく、メッセージをワイヤレス通信デバイス６０２へ返送するためにキャリア信号６１８を変調する。
【０１０４】
[00127]図７は、ＮＦＣアンテナ７１０を使用する遠方場通信のために構成されたワイヤレス通信デバイス７０２の別の例を示すブロック図である。ワイヤレス通信デバイス７０２は、整合ネットワーク７１２ａに結合された送信機７３２と受信機７３４とを含む、ＮＦＣブロック７２０を含み得る。整合ネットワーク７１２ａは、信号を送信および受信し得るＮＦＣアンテナ７１０に結合され得る。
【０１０５】
[00128]送信機７３２は、キャリア信号７１８を生成し得る。キャリア信号７１８は、近接場領域６３０の中でリモートデバイス７０４と通信するための近接場周波数７２４（たとえば、１３．５６ＭＨｚ）を有し得る。代替として、キャリア信号７１８は、遠方場領域７３８の中でリモートデバイス７０４と通信するための遠方場周波数７２６を有してもよい。遠方場周波数７２６は、近接場周波数７２４よりも高くてよい。
【０１０６】
[00129]リモートデバイス７０４は、ＲＦＩＤタグまたはＮＦＣデバイスであってよい。リモートデバイス７０４は、アンテナ７１６と整合ネットワーク７１２ｂとを含み得る。
【０１０７】
[00130]この例では、ワイヤレス通信デバイス７０２は、遠方場領域７３８の中でリモートデバイス７０４と遠方場通信を実行し得る。したがって、送信機７３２は、遠方場周波数７２６を有するキャリア信号７１８を生成し得る。たとえば、キャリア周波数は、２７．１２ＭＨｚ、４０．６８ＭＨｚ、４３３．９２ＭＨｚ、９１５ＭＨｚ、または２．４５ＧＨｚであってよい。同様に、受信機７３４は、遠方場周波数７２６を有するキャリア信号７１８を受信し得る。リモートデバイス７０４が遠方場領域７３８の中にあるので、ワイヤレス通信デバイス７０２がリモートデバイス７０４と誘導結合されないことがある。
【０１０８】
[00131]リモートデバイス７０４との通信中、ワイヤレス通信デバイス７０２およびリモートデバイス７０４は、上記で説明したようにキャリア変調を実行し得る。リモートデバイス７０４は、遠方場周波数７２６を使用するように同調され得る。したがって、リモートデバイス７０４は、遠方場周波数７２６を使用してキャリア信号７１８を送信および受信し得る。
【０１０９】
[00132]図８は、ＮＦＣアンテナ８１０を使用する遠方場通信のために構成されたワイヤレス通信デバイス８０２のまた別の例を示すブロック図である。ワイヤレス通信デバイス８０２は、整合ネットワーク８１２ａに結合された送信機８３２と受信機８３４とを含む、ＮＦＣブロック８２０を含み得る。整合ネットワーク８１２ａは、信号を送信および受信し得るＮＦＣアンテナ８１０に結合され得る。
【０１１０】
[00133]第１のリモートデバイス８０４ａは、近接場領域８３０の中に位置し得る。第１のリモートデバイス８０４ａは、整合ネットワーク８１２ｂを含み得る。第２のリモートデバイス８０４ｂは、遠方場領域８３８の中に位置し得る。第２のリモートデバイス８０４ｂは、整合ネットワーク８１２ｃを含み得る。リモートデバイス８０４は、ＲＦＩＤタグまたはＮＦＣデバイスであってよい。
【０１１１】
[00134]この例では、ワイヤレス通信デバイス８０２は、第１のリモートデバイス８０４ａおよび第２のリモートデバイス８０４ｂと、同時の通信を実行し得る。ワイヤレス通信デバイス８０２は、近接場領域の中で第１のリモートデバイス８０４ａと近接場通信（ＮＦＣ）を実行し得る。したがって、送信機８３２は、第１のリモートデバイス８０４ａとの通信のために、１３．５６ＭＨｚとしてのＮＦＣ周波数８２４を有するキャリア信号８１８を生成し得る。同様に、受信機８３４は、１３．５６ＭＨｚのキャリア信号８１８を第１のリモートデバイス８０４ａから受信し得る。
【０１１２】
[00135]ワイヤレス通信デバイス８０２はまた、ＮＦＣアンテナ回路構成を使用して第２のリモートデバイス８０４ｂと遠方場通信を実行し得る。したがって、送信機８３２は、近接場周波数８２４よりも高い遠方場周波数８２６を有するキャリア信号８１８を生成し得る。同様に、受信機８３４は、遠方場周波数８２６を有するキャリア信号８１８を第２のリモートデバイス８０４ｂから受信し得る。
【０１１３】
[00136]図９は、近接場の外側の周波数を使用してポーリング周波数掃引を実行するための方法９００を示すフロー図である。方法９００は、ワイヤレス通信デバイス５０２によって実行され得る。ワイヤレス通信デバイス５０２は、ＮＦＣ回路構成を用いて構成され得る。ＮＦＣ回路構成は、ＮＦＣコントローラ（たとえば、ＮＦＣブロック５２０）とＮＦＣアンテナ回路構成（たとえば、ＮＦＣアンテナ５１０および整合ネットワーク５１２）とを含み得る。
【０１１４】
[00137]ワイヤレス通信デバイス５０２は、１つまたは複数の遠方場周波数５２６を使用してポーリングを開始し得る（９０２）。遠方場周波数５２６は、近接場周波数５２４（たとえば、１３．５６ＭＨｚ）よりも高くてよい。ワイヤレス通信デバイス５０２は、１つまたは複数の遠方場周波数５２６上でポーリングするように構成され得る。たとえば、ワイヤレス通信デバイス５０２は、その上でポーリングすべき遠方場周波数５２６のリストを含み得る。
【０１１５】
[00138]ワイヤレス通信デバイス５０２は、第１の遠方場周波数５２６に対してポーリングを実行し得る（９０４）。ワイヤレス通信デバイス５０２は、遠方場周波数５２６において動作している１つまたは複数のリモートデバイス５０４をポーリングし得る。たとえば、第１の遠方場周波数５２６は、２７．１２ＭＨｚであってよい。したがって、ワイヤレス通信デバイス５０２は、２７．１２ＭＨｚを使用して通信するリモートデバイスを求めてポーリングし得る。ワイヤレス通信デバイス５０２は、ＮＦＣアンテナ回路構成を使用してポーリングを実行し得る。
【０１１６】
[00139]第１の遠方場周波数５２６に対するポーリングを完了すると、ワイヤレス通信デバイス５０２は、ポーリングすべきそれ以上の遠方場周波数５２６があるかどうかを決定し得る（９０６）。ポーリングすべき１つまたは複数の追加の遠方場周波数５２６がある場合、ワイヤレス通信デバイス５０２は、次の遠方場周波数５２６に対してポーリングを実行し得る（９０８）。たとえば、次の遠方場周波数は、４０．６８ＭＨｚであり得る。したがって、ワイヤレス通信デバイス５０２は、４０．６８ＭＨｚを使用して通信するリモートデバイス５０４を求めてポーリングし得る。
【０１１７】
[00140]ワイヤレス通信デバイス５０２は、次いで、そこでそれ以上の遠方場周波数５２６がポーリングすべきかどうかを再び決定し得る（９０６）。ポーリングすべきそれ以上の遠方場周波数５２６がないとき、方法９００は終了し得る（９１０）。
【０１１８】
[00141]図１０は、ＦＭアンテナ１０１０を使用して遠方場領域の中でＮＦＣ型動作を実行するためのワイヤレス通信システム１０００の一構成を示すブロック図である。ワイヤレス通信システム１０００は、リモートデバイス１００４と通信しているワイヤレス通信デバイス１００２を含み得る。ワイヤレス通信デバイス１００２は、図１に関して説明したワイヤレス通信デバイス１０２に従って実施され得る。
【０１１９】
[00142]この実装形態では、ワイヤレス通信デバイス１００２は、遠方場領域の中でＮＦＣ型動作を実行するためにＦＭアンテナ１０１０を再利用し得る。ＮＦＣ構成型ワイヤレス通信デバイス１００２は、ＦＭラジオアンテナ構造がより高い周波数の波長に対して物理的（および、電気的）に長いという事実を活用し得る。ＦＭアンテナ１０１０は、ワイヤレス通信デバイス１００２に取り付けられるヘッドフォンケーブルの一部として実装され得る。
【０１２０】
[00143]リモートデバイス１００４とのワイヤレス通信中、ワイヤレス通信デバイス１００２は、ＦＭアンテナ１０１０を使用して、近接場領域の外部で動作する信号を送信または受信し得る。信号は、１３．５６メガヘルツ（ＭＨｚ）よりも高いキャリア周波数を有するキャリア信号であり得る。リモートデバイス１００４は、タグ（たとえば、ＲＦＩＤタグまたはＮＦＣタグ）、または近接場領域の外側でも動作するように構成されているＮＦＣ搭載ハンドセットデバイスであり得る。リモートデバイス１００４は、アンテナ１０１６を含み得る。
【０１２１】
[00144]遠方場周波数１０２６に対して、ワイヤレス通信デバイス１００２は、関連するインピーダンス整合を伴うＦＭアンテナ１０１０にとって１３．５６ＭＨｚからオフチューンで送信および受信し得る。ＦＭアンテナ１０１０は、遠方場周波数１０２６において共振するように構成されている遠方場整合ネットワーク１０１２ｂに結合され得る。一実装形態では、ＦＭアンテナ１０１０はまた、ダイプレクサに結合され得る。ダイプレクサは、ワイヤレス通信デバイス１００２がＮＦＣブロック１０２０およびＦＭ受信機（図示せず）を用いてＦＭアンテナ１０１０を共有することを可能にし得る。
【０１２２】
[00145]ＮＦＣ動作は、近放射（たとえば、フレネル）領域、遷移（たとえば、放射に対する反応からの）領域の中で、または放射（たとえば、遠方場領域）電磁領域の中に入り込んでさえ達成され得る。本明細書で使用するとき、近放射領域、遷移領域、および放射領域は、総称して遠方場領域と呼ばれる。したがって、本明細書で使用するとき、遠方場通信は、近放射領域、遷移領域、または放射領域の中でのワイヤレス通信を含む。
【０１２３】
[00146]ＦＭアンテナ１０１０が遠方場領域の中でのＮＦＣのために使用され得るので、通信範囲は拡張され得る。これは、この場合のＮＦＣ型動作が反応領域の結合および関連する近接場の伝搬損失によって限定されないからである。言い換えれば、ワイヤレス通信デバイス１００２は、無線周波数（ＲＦ）通信を実施して遠方場の中でＮＦＣ型動作を実行するためにＦＭアンテナ１０１０を使用し得る。
【０１２４】
[00147]説明するシステムおよび方法は、近接場周波数、遠方場周波数１０２６、または両方において動作するリーダー（たとえば、ＮＦＣ搭載ハンドセット）とタグとの間の通信を可能にするために使用され得る。本明細書で使用するとき、近接場周波数１０２４は、ほぼ１３．５６ＭＨｚである。一構成では、これらの遠方場周波数１０２６が１３．５６ＭＨｚのＮＦＣ周波数の高調波であり得ることに留意されたい。別の構成では、これらの遠方場周波数１０２６は、１３．５６ＭＨｚのＮＦＣ周波数の高調波である必要がない。
【０１２５】
[00148]一実装形態では、ワイヤレス通信デバイス１００２は、ＮＦＣブロック１０２０と、ＮＦＣループアンテナ１０４０と、近接場整合ネットワーク１０１２ａと、ＦＭアンテナ１０１０と、遠方場整合ネットワーク１０１２ｂとを含み得る。ＮＦＣループアンテナ１０４０は、ループアンテナまたはコイルアンテナであり得る。近接場整合ネットワーク１０１２ａは、近接場周波数１０２４（たとえば、１３．５６ＭＨｚ）においてＮＦＣループアンテナ１０４０の中に共振を生じさせるように構成されている特定のインピーダンス（すなわち、近接場インピーダンス１０１４ａ）を有し得る。
【０１２６】
[00149]ＦＭアンテナ１０１０は、ヘッドフォン、またはＦＭ信号を受信および／もしくは送信するように構成された別のＦＭラジオアンテナ構造として実装され得る。遠方場整合ネットワーク１０１２ｂは、遠方場周波数１０２６においてＦＭアンテナ１０１０の中に共振を生じさせるように構成されている遠方場インピーダンス１０１４ｂを有し得る。
【０１２７】
[00150]一構成では、ＮＦＣブロック１０２０は、ＮＦＣコントローラであり得る。ＮＦＣブロック１０２０は、近接場動作モジュール１０２２と遠方場動作モジュール１００６とを含み得る。ワイヤレス通信デバイス１００２は、近接場動作用のＮＦＣループアンテナ１０４０と遠方場（たとえば、遠方場）動作用のＦＭアンテナ１０１０との間で切り替え得る。ワイヤレス通信デバイス１００２は、近接場通信のための動作モード（すなわち、近接場モード１０４２）と遠方場通信のための別の動作モード（すなわち、遠方場モード１０４４）とを有し得る。
【０１２８】
[00151]近接場モード１０４２では、ワイヤレス通信デバイス１００２は、ＮＦＣループアンテナ１０４０と近接場周波数１０２４とを使用してＮＦＣ型動作を実行し得る。たとえば、ワイヤレス通信デバイス１００２は、１３．５６ＭＨｚとしての近接場周波数１０２４においてキャリア信号を送信または受信し得る。近接場モード１０４２にある間、ワイヤレス通信デバイス１００２のＮＦＣループアンテナ１０４０は、リモートデバイス１００４のアンテナと誘導結合され得る。
【０１２９】
[00152]遠方場モード１０４４では、ワイヤレス通信デバイス１００２は、ＦＭアンテナ１０１０と遠方場周波数１０２６とを使用してＮＦＣ型動作を実行することに切り替え得る。遠方場モード１０４４にある間、ワイヤレス通信デバイス１００２は、近接場周波数１０２４（たとえば、１３．５６ＭＨｚ）よりも高い遠方場周波数１０２６においてキャリア周波数を生成し得る。ワイヤレス通信デバイス１００２は、遠方場領域の中でＮＦＣ型信号を送信および受信するためにＦＭアンテナ１０１０を使用し得る。
【０１３０】
[00153]遠方場整合ネットワーク１０１２ｂは、遠方場周波数１０２６においてＦＭアンテナ１０１０の中に共振を生じさせる遠方場インピーダンス１０１４ｂを用いて構成され得る。この実装形態では、遠方場インピーダンス１０１４ｂは、遠方場周波数１０２６に対して最適化され得る。遠方場インピーダンス１０１４ｂは、遠方場周波数１０２６に一致する共振ピークを生じさせ得る。
【０１３１】
[00154]リモートデバイス１００４は、近接場領域の外部で動作するように同様に同調され得る。たとえば、リモートデバイス１００４は、遠方場キャリア信号を受信および送信するためにアンテナ回路構成を使用するように構成され得る。したがって、ワイヤレス通信デバイス１００２は、遠方場通信機能をＮＦＣ型動作に追加し得る。
【０１３２】
[00155]近接場キャリア（たとえば、１３．５６ＭＨｚ）と遠方場キャリアの両方が、読取り動作および書込み動作の両方のために使用され得ることに留意されたい。一実装形態では、ワイヤレス通信デバイス１００２は、近接場モード１０４２および遠方場モード１０４４に対して同時のＮＦＣ型動作を実行し得る。同時のワイヤレス通信では、ワイヤレス通信デバイス１００２は、（近接場周波数１０２４とＮＦＣループアンテナ１０４０とを使用する）通常のＮＦＣ通信と（１つまたは複数の遠方場周波数１０２６とＦＭアンテナ１０１０とを使用する）近接場領域の外部でのＮＦＣ型動作の両方を実行し得る。
【０１３３】
[00156]近接場キャリアおよび遠方場キャリアは、読取り動作と書込み動作の両方のために使用され得る。たとえば、ワイヤレス通信デバイス１００２は、遠方場周波数１０２６を有するキャリア信号を使用して第１のリモートデバイス１００４と通信し得る。ワイヤレス通信デバイス１００２は、同時に、近接場周波数１０２４を有するキャリア信号を使用して第２のリモートデバイス１００４と通信し得る。
【０１３４】
[00157]別の実装形態では、ワイヤレス通信デバイス１００２は、近接場周波数１０２４を使用する第２のリモートデバイス１００４との読取り動作および書込み動作とは別個の時間において、遠方場周波数１０２６を使用して第１のリモートデバイス１００４との読取り動作と書込み動作とを実行し得る。この実装形態では、ワイヤレス通信デバイス１００２は、近接場モード１０４２および遠方場モード１０４４のための別個の時間において、遠方場キャリア信号を送信または受信し得る。
【０１３５】
[00158]ワイヤレス通信デバイス１００２は、異なる遠方場周波数１０２６に対して複数のモードで動作し得る。一構成では、遠方場動作モジュール１００６は、複数の遠方場周波数１０２６を使用してワイヤレス通信を実行するように構成され得る。たとえば、遠方場動作モジュール１００６は、２７．１２ＭＨｚ、４０．６８ＭＨｚ、４３３．９２ＭＨｚ、９１５ＭＨｚ、または２．４５ＧＨｚのキャリア周波数を使用して、１つまたは複数のリモートデバイス１００４とＮＦＣ型動作を実行し得る。
【０１３６】
[00159]説明するシステムおよび方法は、近接場領域の外側でのＮＦＣ型動作をもたらす。したがって、ＮＦＣの範囲は拡張され得る。説明するシステムおよび方法は、近接場動作のための既存のＮＦＣ回路構成（たとえば、近接場整合ネットワーク１０１２ａおよびＮＦＣループアンテナ１０４０）を維持し得る。しかしながら、遠方場動作のためにＦＭアンテナ１０１０と遠方場整合ネットワーク１０１２ｂとを使用することによって、さらなる最適化が達成され得る。追加として、ワイヤレス通信デバイス１００２とリモートデバイス１００４との間の通信が近接場領域の外側で生じるので、通信は磁気結合に起因する干渉を受けにくい。
【０１３７】
[00160]図１１は、再利用されるＦＭアンテナ１１１０を使用する、遠方場領域の中でのＮＦＣ型動作のために構成されたワイヤレス通信デバイス１１０２の一例を示すブロック図である。ワイヤレス通信デバイス１１０２は、ＮＦＣブロック１１２０とＦＭ受信機１１４６とを含み得る。
【０１３８】
[00161]ＮＦＣブロック１１２０は、ＮＦＣ信号を送信および受信するための送信機１１３２と受信機１１３４とを含み得る。送信機１１３２は、近接場整合ネットワーク１１１２ａおよび遠方場整合ネットワーク１１１２ｂに結合され得る。受信機１１３４も、近接場整合ネットワーク１１１２ａおよび遠方場整合ネットワーク１１１２ｂに結合され得る。
【０１３９】
[00162]近接場整合ネットワーク１１１２ａは、ＮＦＣループアンテナ１１４０に結合され得る。近接場整合ネットワーク１１１２ａは、近接場周波数１０２４（たとえば、１３．５６ＭＨｚ）においてＮＦＣループアンテナ１１４０の中に共振を生じさせるインピーダンス１１１４ａ（たとえば、近接場インピーダンス１１１４ａ）を用いて構成され得る。
【０１４０】
[00163]遠方場整合ネットワーク１１１２ｂは、ダイプレクサ１１４８に結合され得る。ダイプレクサ１１４８は、ＦＭ受信機１１４６およびＮＦＣブロック１１２０がＦＭアンテナ１１１０を共有することを可能にし得る。一実装形態では、ＦＭアンテナ１１１０は、ワイヤレス通信デバイス１１０２に取り付けられたヘッドフォンケーブルであってよい。
【０１４１】
[00164]ワイヤレス通信デバイス１１０２は、ＮＦＣ型動作を使用してリモートデバイス１１０４と通信し得る。たとえば、送信機１１３２は、リモートデバイス１１０４への送信用のキャリア信号を生成し得る。受信機１１３４は、キャリア信号をリモートデバイス１１０４から受信し得る。リモートデバイス１１０４は、ＲＦＩＤタグまたはＮＦＣデバイスであってよい。リモートデバイス１１０４は、アンテナ１１１６と整合ネットワーク１１１２とを含み得る。
【０１４２】
[00165]ワイヤレス通信デバイス１１０２が近接場モード１０４２にあるとき、ワイヤレス通信デバイス１１０２は、ＮＦＣループアンテナ１１４０を使用して近接場領域の内側でＮＦＣ型動作を実行し得る。たとえば、ワイヤレス通信デバイス１１０２は、近接場領域１１３０の中で第１のリモートデバイス１１０４ａと通信するために、近接場周波数１０２４（たとえば、１３．５６ＭＨｚ）を有するキャリア信号を送信または受信し得る。この場合、第１のリモートデバイス１１０４ａのアンテナ１１１６ａおよび整合ネットワーク１１１２ｃは、近接場領域の中でのＮＦＣ型動作に対して同調され得る。ワイヤレス通信デバイス１１０２は、第１のリモートデバイス１１０４ａと誘導結合され得る。
【０１４３】
[00166]ワイヤレス通信デバイス１１０２が遠方場モード１０４４にあるとき、ワイヤレス通信デバイス１１０２は、ＦＭアンテナ１１１０を使用して近接場領域の外側でＮＦＣ型動作を実行し得る。たとえば、ワイヤレス通信デバイス１１０２は、遠方場領域１１３８の中で第２のリモートデバイス１１０４ｂと通信するために、遠方場周波数１０２６を有するキャリア信号を送信または受信し得る。この場合、第２のリモートデバイス１１０４ｂのアンテナ１１１６ｂおよび整合ネットワーク１１１２ｄは、遠方場領域１１３８の中でのＮＦＣ型動作に対して同調され得る。遠方場周波数１０２６は、近接場周波数１０２４よりも高くてよい。
【０１４４】
[00167]図１２は、再利用されるＦＭアンテナ１２１０ａを使用する、遠方場領域１２３８の中でのＮＦＣ型動作のために構成されたワイヤレス通信デバイス１２０２の別の例を示すブロック図である。ワイヤレス通信デバイス１２０２は、ＮＦＣ型動作を使用してリモートデバイス１２０４と通信し得る。
【０１４５】
[00168]ワイヤレス通信デバイス１２０２は、図１１に関して上記で説明したように、ＮＦＣブロック１２２０と、送信機１２３２ａと、受信機１２３４ａと、近接場整合ネットワーク１２１２ａと、ＮＦＣループアンテナ１２４０ａと、遠方場整合ネットワーク１２１２ｂと、ＦＭ受信機１２４６ａと、ダイプレクサ１２４８ａと、ＦＭアンテナ１２１０ａとを含み得る。リモートデバイス１２０４も、図１１に関して上記で説明したように、ＮＦＣブロック１２２０ｂと、送信機１２３２ｂと、受信機１２３４ｂと、近接場整合ネットワーク１２１２ｃと、ＮＦＣループアンテナ１２４０ｂと、遠方場整合ネットワーク１２１２ｄと、ＦＭ受信機１２４６ｂと、ダイプレクサ１２４８ｂと、ＦＭアンテナ１２１０ｂとを含み得る。
【０１４６】
[00169]ワイヤレス通信デバイス１２０２は、ＮＦＣ型動作を使用してリモートデバイス１２０４と通信し得る。たとえば、送信機１２３２ａは、リモートデバイス１２０４への送信用のキャリア信号を生成し得る。受信機１２３４ａは、キャリア信号をリモートデバイス１２０４から受信し得る。
【０１４７】
[00170]ワイヤレス通信デバイス１２０２およびリモートデバイス１２０４が近接場領域１２３０内にあるとき、ワイヤレス通信デバイス１２０２およびリモートデバイス１２０は、近接場モード１０４２で動作し得る。この場合、ワイヤレス通信デバイス１２０２およびリモートデバイス１２０は、誘導結合され得る。ワイヤレス通信デバイス１２０２が近接場モード１０４２にあるとき、ワイヤレス通信デバイス１２０２は、そのＮＦＣループアンテナ１２４０ａを使用して近接場領域１２３０の内側でＮＦＣ型動作を実行し得る。同様に、リモートデバイス１２０４も、そのＮＦＣループアンテナ１２４０ｂを使用して近接場領域１２３０の内側でＮＦＣ型動作を実行し得る。
【０１４８】
[00171]ワイヤレス通信デバイス１２０２およびリモートデバイス１２０４が遠方場領域１２３８内にあるとき、ワイヤレス通信デバイスおよびリモートデバイスは、遠方場モード１０４４で動作し得る。ワイヤレス通信デバイス１２０２が遠方場モード１０４４にあるとき、ワイヤレス通信デバイス１２０２は、そのＦＭアンテナ１２１０ａを使用して近接場領域１２３０の外側でＮＦＣ型動作を実行し得る。同様に、リモートデバイス１２０４も、そのＦＭアンテナ１２１０ｂを使用して近接場領域１２３０の外側でＮＦＣ型動作を実行し得る。
【０１４９】
[00172]図１３は、ヘッドフォンアンテナ１３１０を使用する、遠方場領域１３３８の中でのＮＦＣ型動作のために構成されたワイヤレス通信デバイス１３０２の一例を示すブロック図である。この場合、ワイヤレス通信デバイス１３０２は、ＦＭラジオを用いずに再利用されるヘッドフォンアンテナ１３１０を使用してＮＦＣ型動作を実行し得る。
【０１５０】
[00173]ワイヤレス通信デバイス１３０２は、図１１に関して上記で説明したように、ＮＦＣブロック１３２０と、送信機１３３２と、受信機１３３４と、近接場整合ネットワーク１３１２ａと、ＮＦＣループアンテナ１３４０と、遠方場整合ネットワーク１３１２ｂとを含み得る。この例では、ワイヤレス通信デバイス１３０２は、ＦＭ受信機１１４６を含まない。しかしながら、ワイヤレス通信デバイス１３０２は、ＦＭラジオを用いなくてもＦＭアンテナとしてヘッドフォンアンテナ１３１０（たとえば、ヘッドフォンケーブル）を使用し得る。
【０１５１】
[00174]ワイヤレス通信デバイス１３０２は、図１１に関して説明したように、ＮＦＣ型動作を使用してリモートデバイス１３０４と通信し得る。リモートデバイス１３０４は、ＲＦＩＤタグまたはＮＦＣデバイスであってよい。リモートデバイス１３０４は、アンテナ１３１６と整合ネットワーク１３１２とを含み得る。
【０１５２】
[00175]ワイヤレス通信デバイス１３０２が近接場モード１０４２にあるとき、ワイヤレス通信デバイス１３０２は、ＮＦＣループアンテナ１３４０を使用して近接場領域１３３０の内側でＮＦＣ型動作を実行し得る。たとえば、ワイヤレス通信デバイス１３０２は、近接場領域１３３０の中で第１のリモートデバイス１３０４ａと通信するために、近接場周波数１０２４（たとえば、１３．５６ＭＨｚ）を有するキャリア信号を送信または受信し得る。この場合、第１のリモートデバイス１３０４ａのアンテナ１３１６ａおよび整合ネットワーク１３１２ｃは、近接場領域１３３０の中でのＮＦＣ型動作に対して同調され得る。ワイヤレス通信デバイス１３０２は、第１のリモートデバイス１３０４ａと誘導結合され得る。
【０１５３】
[00176]ワイヤレス通信デバイス１３０２が遠方場モード１０４４にあるとき、ワイヤレス通信デバイス１３０２は、ヘッドフォンアンテナ１３１０を使用して近接場領域１３３０の外側でＮＦＣ型動作を実行し得る。たとえば、ワイヤレス通信デバイス１３０２は、遠方場領域１３３８の中で第２のリモートデバイス１３０４ｂと通信するために、遠方場周波数１０２６を有するキャリア信号を送信または受信し得る。この場合、第２のリモートデバイス１３０４ｂのアンテナ１３１６ｂおよび整合ネットワーク１３１２ｄは、遠方場領域１３３８の中でのＮＦＣ型動作に対して同調され得る。遠方場周波数１０２６は、近接場周波数１０２４よりも高くてよい。
【０１５４】
[00177]図１４は、ヘッドフォンアンテナ１４１０ａを使用する、遠方場領域１４３８の中でのＮＦＣ型動作のために構成されたワイヤレス通信デバイス１４０２の別の例を示すブロック図である。この場合、ワイヤレス通信デバイス１４０２は、ＦＭラジオを用いずにヘッドフォンアンテナ１４１０ａを使用してＮＦＣ型動作を実行し得る。
【０１５５】
[00178]ワイヤレス通信デバイス１４０２は、図１１に関して上記で説明したように、ＮＦＣブロック１４２０ａと、送信機１４３２ａと、受信機１４３４ａと、近接場整合ネットワーク１４１２ａと、ＮＦＣループアンテナ１４４０ａと、遠方場整合ネットワーク１４１２ｂとを含み得る。この例では、ワイヤレス通信デバイス１４０２は、ＦＭ受信機１１４６を含まない。しかしながら、ワイヤレス通信デバイス１４０２は、ＦＭラジオを用いなくてもＦＭアンテナとしてヘッドフォンアンテナ１４１０ａ（たとえば、ヘッドフォンケーブル）を使用し得る。
【０１５６】
[00179]同様に、リモートデバイス１４０４も、図１１に関して上記で説明したように、ＮＦＣブロック１４２０ｂと、送信機１４３２ｂと、受信機１４３４ｂと、近接場整合ネットワーク１４１２ｃと、ＮＦＣループアンテナ１４４０ｂと、遠方場整合ネットワーク１４１２ｄとを含み得る。リモートデバイス１４０４はまた、ヘッドフォンアンテナ１４１０ｂを含み得る。
【０１５７】
[00180]ワイヤレス通信デバイス１４０２およびリモートデバイス１４０４が近接場領域１４３０内にあるとき、ワイヤレス通信デバイス１４０２およびリモートデバイス１４０４は、近接場モード１０４２で動作し得る。この場合、ワイヤレス通信デバイス１４０２およびリモートデバイス１４０４は、誘導結合され得る。ワイヤレス通信デバイス１４０２が近接場モード１０４２にあるとき、ワイヤレス通信デバイス１４０２は、そのＮＦＣループアンテナ１４４０ａを使用して近接場領域１４３０の内側でＮＦＣ型動作を実行し得る。同様に、リモートデバイス１４０４も、そのＮＦＣループアンテナ１４４０ｂを使用して近接場領域１４３０の内側でＮＦＣ型動作を実行し得る。
【０１５８】
[00181]ワイヤレス通信デバイス１４０２およびリモートデバイス１４０４が遠方場領域１４３８内にあるとき、ワイヤレス通信デバイス１４０２およびリモートデバイス１４０４は、遠方場モード１０４４で動作し得る。ワイヤレス通信デバイス１４０２が遠方場モード１０４４にあるとき、ワイヤレス通信デバイス１４０２は、そのヘッドフォンアンテナ１４１０ａを使用して近接場領域１４３０の外側でＮＦＣ型動作を実行し得る。同様に、リモートデバイス１４０４も、そのヘッドフォンアンテナ１４１０ｂを使用して近接場領域１４３０の外側でＮＦＣ型動作を実行し得る。
【０１５９】
[00182]図１５は、再利用されるＷＷＡＮアンテナ１５１０を使用して遠方場領域の中でＮＦＣ型動作を実行するためのワイヤレス通信システム１５００の一構成を示すブロック図である。ワイヤレス通信システム１５００は、リモートデバイス１５０４と通信しているワイヤレス通信デバイス１５０２を含み得る。ワイヤレス通信デバイス１５０２は、図１に関して説明したワイヤレス通信デバイス１０２に従って実施され得る。
【０１６０】
[00183]この実装形態では、遠方場領域の中でのＮＦＣ型動作のために使用される再利用されるアンテナ１１０は、セルラー通信のために構成されたワイヤレスワイドエリアネットワーク（ＷＷＡＮ）アンテナ１５１０であり得る。ワイヤレス通信デバイス１５０２は、ＷＷＡＮブロック１５５０を含み得る。ＷＷＡＮブロック１５５０は、セルラー通信動作を実行し得る。ＷＷＡＮは、セルラーアンテナとネットワークとを使用するセルラー通信の使用を通じてワイヤレスカバレージを拡張し得る。一実装形態では、ＷＷＡＮはＷＬＡＮ技術を含み得る。
【０１６１】
[00184]ＷＷＡＮは、第３世代パートナーシッププロジェクト（３ＧＰＰ：Third Generation Partnership Project）ロングタームエボリューション（ＬＴＥ：Long Term Evolution）規格などの、いくつかの業界規格に従って動作し得る。通信デバイスが準拠し得る規格の他の例は、電気電子技術者協会（ＩＥＥＥ：Institute of Electrical and Electronics Engineers）８０２．１１ａ、８０２．１１ｂ、８０２．１１ｇ、８０２．１１ｎ、および／または８０２．１１ａｃ（たとえば、ワイヤレスフィデリティ（Wireless Fidelity）すなわち「Ｗｉ−Ｆｉ」）規格、ＩＥＥＥ８０２．１６（たとえば、ワールドワイドインターオペラビリティフォーマイクロウェーブアクセス（Worldwide Interoperability for Microwave Access）すなわち「ＷｉＭＡＸ（登録商標）」）規格、（本明細書で「１ｘ」と呼び、ＩＳ−２０００または１ｘＲＴＴと呼ばれることもある）符号分割多元接続（ＣＤＭＡ）２０００  １ｘ規格、エボリューションデータオプティマイズド（ＥＶＤＯ：Evolution-Data Optimized）規格、Ｉｎｔｅｒｉｍ  Ｓｔａｎｄａｒｄ  ９５（ＩＳ−９５）、高データレート（ＨＤＲ：High Data Rate）、高速パケットデータ（ＨＲＰＤ：High Rate Packet Data）、発展型高速パケットデータ（ｅＨＲＰＤ）無線規格などを含む。ＷＷＡＮはまた、ワイヤレスメトロポリタンエリアネットワーキング（ＷＭＡＮ）規格と高速ダウンリンクパケットアクセス（ＨＳＤＰＡ：High-Speed Downlink Packet Access）規格とを含み得る。本明細書で開示するシステムおよび方法のうちのいくつかは、１つまたは複数の規格に関して説明され得るが、このことは、システムおよび方法が多くのシステムおよび／または規格に適用可能であり得るので、本開示の範囲を限定すべきではない。
【０１６２】
[00185]「ネットワーク」および「システム」という用語は、しばしば、互換的に使用される。ＣＤＭＡネットワークは、ユニバーサル地上波無線アクセス（ＵＴＲＡ：Universal Terrestrial Radio Access）、ＣＤＭＡ２０００などの無線アクセス技術（ＲＡＴ：radio access technology）を実装し得る。ＵＴＲＡは、Ｗ−ＣＤＭＡ（登録商標）と低チップレート（ＬＣＲ：Low Chip Rate）とを含み、ＣＤＭＡ２０００は、ＩＳ−２０００規格と、ＩＳ−９５規格と、ＩＳ−８５６規格とをカバーする。ＴＤＭＡネットワークは、モバイル通信用グローバルシステム（ＧＳＭ（登録商標））などの無線アクセス技術（ＲＡＴ）を実装し得る。直交周波数分割多元接続（ＯＦＤＭＡ）ネットワークは、発展型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭＡなどの無線アクセス技術（ＲＡＴ）を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびロングタームエボリューション（ＬＴＥ）は、「第３世代パートナーシッププロジェクト」（３ＧＰＰ）と称する団体からの文書に記載されている。追加として、ＣＤＭＡ２０００は、「第３世代パートナーシッププロジェクト２」（３ＧＰＰ２）と称する団体からの文書に記載されている。
【０１６３】
[00186]ＷＷＡＮブロック１５５０は、上記で説明した１つまたは複数の無線アクセス技術（ＲＡＴ）を利用し得る。たとえば、ＷＷＡＮブロック１５５０は、以下の技術、すなわち、ＣＤＭＡ２０００  １ｘ、ＧＳＭ、ＨＤＲ、ＨＲＰＤ、ｅＨＲＰＤ、Ｗ−ＣＤＭＡ、ＴＤ−ＳＣＤＭＡ、およびＬＴＥのうちの１つまたは複数を使用して通信し得る。
【０１６４】
[00187]リモートデバイス１５０４との通信中、ワイヤレス通信デバイス１５０２は、再利用されるＷＷＡＮアンテナ１５１０を使用して、近接場領域の外部で動作するＮＦＣ型信号を送信または受信し得る。信号は、１３．５６メガヘルツ（ＭＨｚ）よりも高いキャリア周波数を有するキャリア信号であり得る。
【０１６５】
[00188]遠方場周波数１５２６に対して、ワイヤレス通信デバイス１５０２は、関連する遠方場整合ネットワーク１５１２ｂを伴う再利用されるＷＷＡＮアンテナ１５１０を使用して、１３．５６ＭＨｚからオフチューンで送信および受信し得る。再利用されるＷＷＡＮアンテナ１５１０は、遠方場周波数１５２６において共振するように構成されている遠方場整合ネットワーク１５１２ｂに結合され得る。一実装形態では、再利用されるＷＷＡＮアンテナ１５１０はまた、ダイプレクサに結合され得る。ダイプレクサは、ワイヤレス通信デバイス１５０２がＮＦＣブロック１５２０およびＷＷＡＮブロック１５５０のためにＷＷＡＮアンテナ１５１０を再利用することを可能にし得る。
【０１６６】
[00189]再利用されるＷＷＡＮアンテナ１５１０が遠方場領域の中でのＮＦＣのために使用され得るので、通信範囲は拡張され得る。これは、この場合のＮＦＣ型動作が反応領域の結合および関連する近接場の伝搬損失によって限定されないからである。言い換えれば、ワイヤレス通信デバイス１５０２は、無線周波数（ＲＦ）通信を実施して遠方場の中でＮＦＣ型動作を実行するために、再利用されるＷＷＡＮアンテナ１５１０を使用し得る。
【０１６７】
[00190]説明するシステムおよび方法は、近接場周波数５２４、遠方場周波数１５２６、または両方において動作するリーダー（たとえば、ＮＦＣ搭載ハンドセット）とタグとの間の通信を可能にするために使用され得る。本明細書で使用するとき、近接場周波数５２４は、ほぼ１３．５６ＭＨｚである。一構成では、これらの遠方場周波数１５２６が１３．５６ＭＨｚのＮＦＣ周波数の高調波であり得ることに留意されたい。別の構成では、これらの遠方場周波数１５２６は、１３．５６ＭＨｚのＮＦＣ周波数の高調波である必要がない。
【０１６８】
[00191]一実装形態では、ワイヤレス通信デバイス１５０２は、ＮＦＣブロック１５２０と、ＮＦＣループアンテナ１５４０と、近接場整合ネットワーク１５１２ａと、ＷＷＡＮアンテナ１５１０と、遠方場整合ネットワーク１５１２ｂとを含み得る。ＮＦＣループアンテナ１５４０は、ループアンテナまたはコイルアンテナであり得る。近接場整合ネットワーク１５１２ａは、近接場周波数５２４（たとえば、１３．５６ＭＨｚ）においてＮＦＣループアンテナ１５４０の中に共振を生じさせるように構成されている特定のインピーダンス（すなわち、近接場インピーダンス）を有し得る。
【０１６９】
[00192]一構成では、ＷＷＡＮアンテナ１５１０は、セルラー通信のために構成され得る。別の構成では、再利用されるＷＷＡＮアンテナ１５１０は、以下で説明するように、ワイヤレス通信デバイス１５０２のセグメントを使用してＮＦＣループアンテナ１５４０の電気的長さを変化させることによって、既存のＮＦＣループアンテナ１５４０を適応させることによってさらに実装され得る。遠方場整合ネットワーク１５１２ｂは、遠方場周波数１５２６においてＷＷＡＮアンテナ１５１０の中に共振を生じさせるように構成されている遠方場インピーダンスを有し得る。
【０１７０】
[00193]一構成では、ＮＦＣブロック１５２０は、ＮＦＣコントローラであり得る。ＮＦＣブロック１５２０は、近接場動作モジュール１５２２と遠方場動作モジュール１５０６とを含み得る。ワイヤレス通信デバイス１５０２は、近接場動作用のＮＦＣループアンテナ１５４０と遠方場動作用の再利用されるＷＷＡＮアンテナ１５１０との間で切り替え得る。ワイヤレス通信デバイス１５０２は、近接場通信のための動作モード（すなわち、近接場モード１５４２）と遠方場通信のための別の動作モード（すなわち、遠方場モード１５４４）とを有し得る。
【０１７１】
[00194]近接場モード１５４２では、ワイヤレス通信デバイス１５０２は、ＮＦＣループアンテナ１５４０を使用してＮＦＣ型動作を実行し得る。たとえば、ワイヤレス通信デバイス１５０２は、１３．５６ＭＨｚとしての近接場周波数５２４においてキャリア信号を送信または受信し得る。近接場モード１５４２にある間、ワイヤレス通信デバイス１５０２のＮＦＣループアンテナ１５４０は、リモートデバイス１５０４のアンテナ１５１６と誘導結合され得る。
【０１７２】
[00195]遠方場モード１５４４では、ワイヤレス通信デバイス１５０２は、再利用されるＷＷＡＮアンテナ１５１０を使用してＮＦＣ型動作を実行することに切り替え得る。遠方場モード１５４４にある間、ワイヤレス通信デバイス１５０２は、１３．５６ＭＨｚよりも高い遠方場周波数１５２６においてキャリア周波数を生成し得る。ワイヤレス通信デバイス１５０２は、遠方場領域の中でＮＦＣプロトコル信号を送信および受信するために再利用されるＷＷＡＮアンテナ１５１０を使用し得る。
【０１７３】
[00196]遠方場整合ネットワーク１５１２ｂは、遠方場周波数１５２６において再利用されるＷＷＡＮアンテナ１５１０の中に共振を生じさせる遠方場インピーダンスを用いて構成され得る。この実装形態では、遠方場インピーダンスは、遠方場周波数１５２６に対して最適化され得る。遠方場インピーダンスは、遠方場周波数１５２６に一致する共振ピークを生じさせ得る。
【０１７４】
[00197]第１の手法では、ワイヤレス通信デバイス１５０２は、ワイヤレス通信デバイス１５０２の既存の構造からハイブリッドアンテナを作成することによって、遠方場の中でＮＦＣ型動作を実行し得る。この手法では、ワイヤレス通信デバイス１５０２は、遠方場領域の中で既存のＮＦＣソリューションの無線通信を動作させ得る。
【０１７５】
[00198]既存のＮＦＣループアンテナ１５４０を適応させるために、ワイヤレス通信デバイス１５０２の様々なプリント基板（ＰＣＢ）トレース、接地層、および金属構造のセグメントが、既存のＮＦＣループアンテナ１５４０の電気的長さを変化させるようにＮＦＣループアンテナ１５４０に結合され得る。代替として、ワイヤレス通信デバイス１５０２は、遠方場通信を実行するために、完全にこれらの構造に切り替え得る。この目的のために、モノポールアンテナまたはダイポールアンテナが作成され得る。追加として、低周波セルラー帯域アンテナ（すなわち、ＷＷＡＮアンテナ１５１０）がワイヤレス通信デバイス１５０２の中に組み込まれる場合、このハイブリッドアンテナまたはそれの部分を再利用することも利用され得る。
【０１７６】
[00199]この手法では、近接場モード１５４２のためのキャリア周波数は、１３．５６ＭＨｚにおいてとどまってよい。近接場の中での従来のＮＦＣ動作は、ハイブリッドアンテナを作成するために使用される要素に戻して切り替えることによって維持され得る。
【０１７７】
[00200]第２の手法では、ワイヤレス通信デバイス１５０２は、すでにワイヤレス通信デバイス１５０２上に存在するＷＷＡＮアンテナ１５１０を再利用し得る。ＷＷＡＮアンテナ１５１０は、セルラーアンテナと呼ばれることもある。ＷＷＡＮアンテナ１５１０は、４００ＭＨｚから２．７ＧＨｚまでの周波数範囲の中の様々なセルラー帯域において動作し得る。ワイヤレス通信デバイス１５０２は、この事実を利用し得、このアンテナを使用するために、ＮＦＣ型動作用の動作周波数をこの範囲に入るように高め得る。この動作周波数は、遠方場周波数１５２６であり得る。この手法の一例が、図１６に関して説明される。
【０１７８】
[00201]説明するシステムおよび方法を用いると、遠方場領域の中でのＮＦＣ型動作は、再利用されるＷＷＡＮアンテナ１５１０によってサポートされる様々な周波数において実行され得る。ＷＷＡＮアンテナ１５１０の場合、単一のＷＷＡＮアンテナ１５１０が、通常、４００ＭＨｚから２．７ＧＨｚまでの周波数範囲の中の複数の帯域をサポートすることができる。このことは、この範囲の中のＩＳＭバンドにおけるＮＦＣ型動作のための機会をもたらす。これらのＩＳＭバンドは、４３３．０５ＭＨｚ〜４３４．７９ＭＨｚと、９０２ＭＨｚ〜９２８ＭＨｚと、２．４ＧＨｚ〜２．４８３ＧＨｚと、再利用されるＷＷＡＮアンテナ１５１０が十分な利得を有する他の周波数とを含む。
【０１７９】
[00202]第３の手法では、再利用されるＷＷＡＮアンテナ１５１０は、複合アンテナを作成するために、ＮＦＣループアンテナ１５４０と組み合わせられ得る。第３の手法は、ＷＷＡＮアンテナ１５１０によってサポートされる従来の周波数よりも低い周波数においてＮＦＣ型動作を可能にし、ＷＷＡＮアンテナ１５１０は８００ＭＨｚよりも下で十分な利得を有しないことがある。複合アンテナを作成するためにＷＷＡＮアンテナ１５１０をＮＦＣループアンテナ１５４０と組み合わせることによって、もっと低い動作周波数がサポートされ得る。この第３の手法は、図１６に関してより詳細に説明される。
【０１８０】
[00203]説明するシステムおよび方法は、近接場領域の外側でのＮＦＣ型動作をもたらす。したがって、ＮＦＣの範囲は拡張され得る。説明するシステムおよび方法は、近接場動作のための既存のＮＦＣ回路構成（たとえば、近接場整合ネットワーク１５１２ａおよびＮＦＣループアンテナ１５４０）を維持し得る。しかしながら、遠方場動作のために再利用されるＷＷＡＮアンテナ１５１０と遠方場整合ネットワーク１５１２ｂとを使用することによって、さらなる最適化が達成され得る。追加として、ワイヤレス通信デバイス１５０２とリモートデバイス１５０４との間の通信が近接場領域の外側で生じるので、通信は磁気結合に起因する干渉を受けにくい。
【０１８１】
[00204]図１６は、再利用されるＷＷＡＮアンテナ１６１０を使用する、遠方場領域の中でのＮＦＣ型動作のために構成されたワイヤレス通信デバイス１６０２の一例を示すブロック図である。ワイヤレス通信デバイス１６０２は、ＮＦＣブロック１６２０とＷＷＡＮブロック１６５０とを含み得る。
【０１８２】
[00205]ＮＦＣブロック１６２０は、ＮＦＣ信号を送信および受信するための送信機（Ｔｘ）および受信機（Ｒｘ）１６６８を含み得る。送信機および受信機１６６８は、近接場経路１６７０と遠方場経路１６６６との間で切り替えられ得る。ＮＦＣブロック１６２０が近接場モード１５４２にあるとき、近接場経路１６７０が選択され得る。ＮＦＣブロック１６２０が遠方場モード１５４４にあるとき、遠方場経路１６６６が選択され得る。
【０１８３】
[00206]近接場経路１６７０は、内部の近接場整合ネットワーク１６１２ａと、ＮＦＣループアンテナ１６４０に結合された外部の整合ネットワーク／ＥＭＩフィルタ／共存（ｃｏｅｘ）フィルタ１６７４とを含み得る。内部の近接場整合ネットワーク１６１２ａは、近接場周波数１５２４において共振を生じさせるためのインピーダンスを用いて構成され得る。
【０１８４】
[00207]遠方場経路１６６６は、内部の遠方場整合ネットワーク１６１２ｂと外部の整合ネットワーク／ｃｏｅｘフィルタ１６７２とを含み得る。内部の遠方場整合ネットワーク１６１２ｂは、遠方場周波数１５２６において共振を生じさせるためのインピーダンスを用いて構成され得る。
【０１８５】
[00208]ワイヤレス通信デバイス１６０２は、ダイプレクサ１６４８を含み得る。ダイプレクサ１６４８は、ＷＷＡＮアンテナ１６１０、ＷＷＡＮデュプレクサ１６６２、および遠方場経路１６６６の整合ネットワーク／ｃｏｅｘフィルタ１６７２に結合され得る。ダイプレクサ１６４８は、ＷＷＡＮ／セルラー動作への影響を回避するようにＮＦＣブロック１６２０がＷＷＡＮブロック１６５０のＷＷＡＮアンテナ１６１０を再利用することを可能にし得、また逆も同様である。
【０１８６】
[00209]ＷＷＡＮブロック１６５０は、セルラー通信に関する動作を実行し得る。ＷＷＡＮブロック１６５０は、受信機（Ｒｘ）１６５２と送信機（Ｔｘ）１６５４とを含み得る。ＷＷＡＮブロック１６５０の送信機１６５４は、電力増幅器（ＰＡ）１６５８およびＴｘフィルタ１６６０を介して信号を送信し得る。受信機１６５２は、Ｒｘフィルタ１６５６によってフィルタ処理された信号を受信し得る。
【０１８７】
[00210]場合によっては、遠方場ＮＦＣ型動作とＷＷＡＮとの間に不十分な周波数分離があり得、その結果、ｃｏｅｘフィルタ処理が役に立たなくなる。さらに、遠方場の中でのＮＦＣ型動作は、ＷＷＡＮと同じ帯域の中で動作することさえある。遠方場の中でのＮＦＣ型動作がＷＷＡＮと比較してはるかに低いデータレートであるので、相互干渉を回避するために、単純なパケットアービトレーション手順がｃｏｅｘピンを通じて実施され得る。ＮＦＣブロック１６２０およびＷＷＡＮブロック１６５０は、パケットアービトレーション手順を実行するために、互いにｃｏｅｘ信号１６７６を送信および受信し得る。パケットは、遠方場の中でのＮＦＣ型動作、およびＷＷＡＮ通信に対してスケジュールされ得る。遠方場ソリューションのＮＦＣ型動作またはそれの部分が単一の移動局モデム（ＭＳＭ：mobile station modem）内に統合される場合、このｃｏｅｘピンは、ＭＳＭへの内部信号になってよく、両方の集積回路（ＩＣ）のためのピン数を低減し得る。
【０１８８】
[00211]ＮＦＣブロック１６２０が近接場モード１５４２にあるとき、ワイヤレス通信デバイス１６０２は、ＮＦＣループアンテナ１６４０を使用してＮＦＣ型動作を実行し得る。この場合、ＮＦＣブロック１６２０は、ＮＦＣ経路を経由して近接場周波数１５２４においてキャリア信号を送信および受信し得る。
【０１８９】
[00212]ＮＦＣブロック１６２０が遠方場モード１５４４にあるとき、ワイヤレス通信デバイス１６０２は、再利用されるＷＷＡＮアンテナ１６１０を使用して近接場の外側でＮＦＣ型動作を実行し得る。この場合、ＮＦＣブロック１６２０は、遠方場経路１６６６を経由して遠方場周波数１５２６においてキャリア信号を送信および受信し得る。
【０１９０】
[00213]別の構成では、再利用されるＷＷＡＮアンテナ１６１０は、複合アンテナを作成するために、ＮＦＣループアンテナ１６４０と組み合わせられ得る。この手法は、ＷＷＡＮアンテナ１６１０によってサポートされる従来の周波数よりも低い周波数においてＮＦＣ型動作を可能にし、ＷＷＡＮアンテナ１６１０は８００ＭＨｚよりも下で十分な利得を有しないことがある。複合アンテナを作成するためにＷＷＡＮアンテナ１６１０をＮＦＣループアンテナ１６４０と組み合わせることによって、もっと低い動作周波数がサポートされ得る。このことは、アンテナスイッチ１６６４を使用して達成され得る。組み合わせられると、ＷＷＡＮアンテナ１６１０の電気的長さが増大し、それは次に、ＩＳＭバンドの中の４３３．０５ＭＨｚ〜４３４．７９ＭＨｚなどのもっと低い周波数において十分な利得をもたらす。
【０１９１】
[00214]図１６において、ｃｏｅｘ信号１６７６は、ＷＷＡＮ／ＮＦＣ複合アンテナを有効化するようにアンテナスイッチ１６６４を制御し得る。アンテナスイッチ１６６４を閉じることによって、複合アンテナが有効化され得る。アンテナスイッチ１６６４を開くことによって、複合アンテナが無効化され得る。アンテナスイッチ１６６４の組合せを用いて、上述のモードがサポートされてよい。
【０１９２】
[00215]図１７は、再利用される遠方場アンテナ１７１０を使用する、遠方場領域の中でのＮＦＣ型動作のためのワイヤレス通信システム１７００の一構成を示すブロック図である。ワイヤレス通信システム１７００は、リモートデバイス１７０４と通信しているワイヤレス通信デバイス１７０２を含み得る。ワイヤレス通信デバイス１７０２は、図１に関して説明したワイヤレス通信デバイス１０２に従って実施され得る。
【０１９３】
[00216]上記で説明したように、ＮＦＣ構成型ワイヤレス通信デバイス１７０２は、より高い周波数の波長に対して物理的（および、電気的）に長い構造とアンテナとを活用し得る。これらの構造およびアンテナは、総称して遠方場アンテナ１７１０と呼ばれることがある。一実装形態では、遠方場アンテナ１７１０は、ワイヤレスローカルエリアネットワーク（ＷＬＡＮ）（たとえば、Ｗｉ−Ｆｉ）通信またはＢｌｕｅｔｏｏｔｈ（ＢＴ）通信のために使用されるアンテナであってよい。
【０１９４】
[00217]ＷＬＡＮ／ＢＴブロック１７７８は、ＷＬＡＮ動作および／またはＢＴ動作を実行し得る。本明細書で使用するとき、ＷＬＡＮ／ＢＴブロック１７７８は、ＷＬＡＮのみ、ＢＴのみ、またはＷＬＡＮとＢＴの両方のための機能性を含み得る。
【０１９５】
[00218]ＷＬＡＮ技術は、電気電子技術者協会（ＩＥＥＥ）８０２．１１（たとえば、ワイヤレスフィデリティすなわち「Ｗｉ−Ｆｉ」）規格などのいくつかの業界規格に従って動作し得る。ＩＥＥＥ８０２．１１規格は、８０２．１１ｂ、８０２．１１ｇ、８０２．１１ｎ、８０２．１１ａｃ、および／または８０２．１１ａｈを含む。
【０１９６】
[00219]リモートデバイス１７０４との通信中、ワイヤレス通信デバイス１７０２は、遠方場アンテナ１７１０を再利用することによって遠方場領域の中でＮＦＣ型動作を実行し得る。ワイヤレス通信デバイス１７０２は、ＮＦＣ型信号を送信または受信し得る。この信号は、１３．５６メガヘルツ（ＭＨｚ）よりも高いキャリア周波数を有するキャリア信号であってよい。
【０１９７】
[00220]遠方場周波数１７２６に対して、ワイヤレス通信デバイス１７０２は、関連する遠方場整合ネットワーク１７１２ｂを伴う再利用される遠方場アンテナ１７１０を使用して、１３．５６ＭＨｚからオフチューンで送信および受信し得る。遠方場アンテナ１７１０は、遠方場周波数１７２６において共振するように構成されている遠方場整合ネットワーク１７１２ｂに結合され得る。一実装形態では、遠方場アンテナ１７１０はまた、ダイプレクサに結合され得る。ダイプレクサは、ワイヤレス通信デバイス１７０２が遠方場領域の中でＮＦＣ型動作を実行するために遠方場アンテナ１７１０を再利用することを可能にし得る。たとえば、ダイプレクサは、ＮＦＣブロック１７２０と、ブロックと、ＷＬＡＮ／ＢＴブロック１７７８との間で遠方場アンテナ１７１０を切り替え得る。
【０１９８】
[00221]説明するシステムおよび方法は、近接場周波数１７２４、遠方場周波数１７２６、または両方において動作するリーダー（たとえば、ＮＦＣ搭載ハンドセット）とタグとの間の通信を可能にするために使用され得る。遠方場周波数１７２６は、周波数帯域内にあってよい。一構成では、これらの遠方場周波数１７２６が１３．５６ＭＨｚのＮＦＣ周波数の高調波であってよいことに留意されたい。別の構成では、これらの遠方場周波数１７２６は、１３．５６ＭＨｚのＮＦＣ周波数の高調波である必要がない。
【０１９９】
[00222]別の例では、遠方場周波数１７２６は、７５５〜７８７ＭＨｚ帯域と、８６３〜８６８ＭＨｚ帯域と、９１６．５〜９２７．５ＭＨｚ帯域とをカバーし得る。チャネライゼーション（channelization）はまた、２つ以上の不連続周波数帯域（たとえば、８６６〜８６９ＭＨｚ帯域および９２０〜９２５ＭＨｚ帯域）からなり得る。本明細書で説明する周波数および帯域は例として提供され、遠方場周波数１７２６が単にこれらの周波数／帯域だけに限定されなくてよいことに留意されたい。
【０２００】
[00223]一実装形態では、ワイヤレス通信デバイス１７０２は、ＮＦＣブロック１７２０と、ＮＦＣループアンテナ１７４０と、近接場整合ネットワーク１７１２ａと、遠方場アンテナ１７１０と、遠方場整合ネットワーク１７１２ｂとを含み得る。ＮＦＣループアンテナ１７４０は、ループアンテナまたはコイルアンテナであってよい。近接場整合ネットワーク１７１２ａは、近接場周波数１７２４（たとえば、１３．５６ＭＨｚ）においてＮＦＣループアンテナ１７４０の中に共振を生じさせるように構成されている特定のインピーダンス（すなわち、近接場インピーダンス）を有し得る。
【０２０１】
[00224]一構成では、遠方場アンテナ１７１０は、ＷＬＡＮ／ＢＴアンテナとして実装され得る。別の構成では、遠方場アンテナ１７１０は、ワイヤレス通信デバイス１７０２のセグメントを使用してＮＦＣループアンテナ１７４０の電気的長さを変化させることによって、既存のＮＦＣループアンテナ１７４０を適応させることによって実装され得る。遠方場整合ネットワーク１７１２ｂは、遠方場周波数１７２６において遠方場アンテナ１７１０の中に共振を生じさせるように構成されているインピーダンスを有し得る。
【０２０２】
[00225]一構成では、ＮＦＣブロック１７２０は、ＮＦＣコントローラであってよい。ＮＦＣブロック１７２０は、近接場動作モジュール１７２２と遠方場動作モジュール１７０６とを含み得る。ワイヤレス通信デバイス１７０２は、近接場動作用のＮＦＣループアンテナ１７４０と遠方場動作用の遠方場アンテナ１７１０との間で切り替え得る。ワイヤレス通信デバイス１７０２は、近接場通信のための動作モード（すなわち、近接場モード１７４２）と遠方場通信のための別の動作モード（すなわち、遠方場モード１７４４）とを有し得る。
【０２０３】
[00226]近接場モード１７４２では、ワイヤレス通信デバイス１７０２は、ＮＦＣループアンテナ１７４０を使用してＮＦＣ型動作を実行し得る。たとえば、ワイヤレス通信デバイス１７０２は、１３．５６ＭＨｚとしての近接場周波数１７２４においてキャリア信号を送信または受信し得る。近接場モード１７４２にある間、ワイヤレス通信デバイス１７０２のＮＦＣループアンテナ１７４０は、リモートデバイス１７０４のアンテナ１７１６と誘導結合され得る。
【０２０４】
[00227]遠方場モード１７４４では、ワイヤレス通信デバイス１７０２は、遠方場アンテナ１７１０を使用してＮＦＣ型動作を実行することに切り替え得る。遠方場モード１７４４にある間、ワイヤレス通信デバイス１７０２は、１３．５６ＭＨｚよりも高い遠方場周波数１７２６においてキャリア周波数を生成し得る。ワイヤレス通信デバイス１７０２は、遠方場領域の中でＮＦＣ型信号を送信および受信するために遠方場アンテナ１７１０を使用し得る。
【０２０５】
[00228]遠方場整合ネットワーク１７１２ｂは、遠方場周波数１７２６において遠方場アンテナ１７１０の中に共振を生じさせる遠方場インピーダンスを用いて構成され得る。この実装形態では、遠方場インピーダンスは、遠方場周波数１７２６に対して最適化され得る。遠方場インピーダンスは、遠方場周波数１７２６に一致する共振ピークを生じさせ得る。
【０２０６】
[00229]ワイヤレス通信デバイス１７０２は、異なる遠方場周波数１７２６に対して複数のモードで動作し得る。一構成では、遠方場動作モジュール１７０６は、複数の遠方場周波数１７２６を使用してワイヤレス通信を実行するように構成され得る。たとえば、遠方場動作モジュール１７０６は、２７．１２ＭＨｚ、４０．６８ＭＨｚ、４３３．９２ＭＨｚ、９１５ＭＨｚ、または２．４５ＧＨｚのキャリア周波数を使用して、１つまたは複数のリモートデバイス１７０４とワイヤレス通信を実行し得る。
【０２０７】
[00230]第１の手法では、ワイヤレス通信デバイス１７０２は、ワイヤレス通信デバイス１７０２の既存の構造からハイブリッドアンテナを作成することによって、遠方場の中でＮＦＣ型動作を実行し得る。既存のＮＦＣループアンテナ１７４０を適応させるために、ワイヤレス通信デバイス１７０２の様々なプリント回路板（ＰＣＢ）トレース、接地層、および金属構造のセグメントが、既存のＮＦＣループアンテナ１７４０の電気的長さを変化させるようにＮＦＣループアンテナ１７４０に結合され得る。代替として、ワイヤレス通信デバイス１７０２は、遠方場通信を実行するために、全体にこれらの構造に切り替え得る。この目的のために、モノポールアンテナまたはダイポールアンテナが作成され得る。追加として、ＷＬＡＮ／ＢＴ遠方場アンテナ１７１０がワイヤレス通信デバイス１７０２の中に組み込まれる場合、このハイブリッドアンテナまたはそれの部分を再利用することも利用され得る。
【０２０８】
[00231]第２の手法では、ワイヤレス通信デバイス１７０２は、すでにワイヤレス通信デバイス１７０２上に存在するＷＬＡＮ／ＢＴ遠方場アンテナ１７１０を共有し得る。ＷＬＡＮ／ＢＴ遠方場アンテナ１７１０は、ＩＳＭバンド２４００〜２４８３．５ＭＨｚおよび５７２５〜５８７５ＭＨｚの中で動作する。その結果、ＮＦＣ動作周波数も、この範囲まで、または十分なＷＬＡＮ／ＢＴアンテナ利得がある限り任意の他の周波数範囲まで増大され得る。この動作周波数は、遠方場周波数１７２６であってよい。この手法の一例が、図１８に関して説明される。
【０２０９】
[00232]第３の手法では、遠方場アンテナ１７１０は、複合アンテナを作成するためにＮＦＣループアンテナ１７４０と組み合わせられ得る。第３のものは、ＷＬＡＮ／ＢＴアンテナによってサポートされる従来の周波数よりも低い周波数において、ＮＦＣ型動作に接近する。複合アンテナを作成するために遠方場アンテナ１７１０をＮＦＣループアンテナ１７４０と組み合わせることによって、もっと低い動作周波数がサポートされ得る。この第３の手法は、図１８に関してより詳細に説明される。
【０２１０】
[00233]本明細書で説明するシステムおよび方法に基づいて、様々な遠方場周波数１７２６におけるＮＦＣ型動作が、１つまたは複数の遠方場アンテナ１７１０によってサポートされ得る。ＷＬＡＮサービスは、電話、タブレットなどにおける単一のアンテナまたは多数の遠方場アンテナ１７１０のいずれかによって提供され得る。それにもかかわらず、単一または複数の遠方場アンテナ１７１０は、９００ＭＨｚ帯域と、２．４ＧＨｚ帯域と、３．６ＧＨｚ帯域と、５ＧＨｚ帯域と、５．９ＧＨｚ帯域とを含むことができる指定されたスペクトルにわたる８０２．１１バンドをカバーする。このことは、ＮＦＣ型動作が８０２．１１バンド、ＩＳＭバンド、またはサポートされる任意の他の周波数帯域において動作する機会をもたらす。後者の場合、ＷＬＡＮアンテナ１７１０が再構成されるか、または適切な整合ネットワークが設けられる必要があり得る。たとえば、このことは、９０２〜９２８ＭＨｚから動作する８０２．１１ａｈのアンテナ／無線が、４３３．０５ＭＨｚ〜４３４．７９ＭＨｚなどのもっと低いＩＳＭバンドにおいて動作するように再構成されることを可能にし得る。本明細書で説明する周波数および帯域が例にすぎず、遠方場周波数１７２６がこれらの周波数／帯域に限定されなくてよいことに留意されたい。
【０２１１】
[00234]第４の手法では、遠方場アンテナ１７１０を再利用することに加えて、ＮＦＣ型動作は、完全なＷＬＡＮ８０２．１１ａｈ無線（Ｒｘ／Ｔｘ）またはそれらの部分を共有することができる。言い換えれば、ＮＦＣ型動作は、ＷＬＡＮ／ＢＴブロック１７７８によって実施され得る。この手法は、フロントエンドの複雑さを低減し得る。このことはまた、ＮＦＣ型動作のための別個の無線（Ｒｘ／Ｔｘ）がもはや必要とされないので、シリコン面積を低減し得る。このことはコストを低減し得る。さらに、遠方場アンテナ１７１０が、ＷＬＡＮ８０２．１１ａｈ技術とＮＦＣ型技術の両方に対して最適化され得る。
【０２１２】
[00235]ＮＦＣ型動作は、ＷＬＡＮ８０２．１１ａｈと同じ周波数において実行され得、または遠方場アンテナ１７１０によってサポートされる任意の他の周波数において動作し得る。ＷＬＡＮ８０２．１１ａｈが９０２〜９２８ＭＨｚのＩＳＭバンドの中で動作するので、遠方場アンテナ１７１０は、ＮＦＣ型動作が共有できるこの帯域にとって最適である。追加として、８０２．１１ａｈの遠方場アンテナ１７１０は、もっと低いＩＳＭバンド、４３３．０５〜４３４．７９ＭＨｚの中で十分な利得を有することができる。
【０２１３】
[00236]一構成では、ＷＬＡＮ動作およびＮＦＣ型動作からのベースバンド信号は、いずれかの技術が無線およびアンテナへのアクセスを有するように選択信号を介して無線へ多重化され得る。この構成の一例が、図１９に関して説明される。
【０２１４】
[00237]別の構成では、ＷＬＡＮ動作およびＮＦＣ型動作は、完全な同時の受信動作および送信動作を有することができる。このアーキテクチャの一例が、図２０に関して説明される。
【０２１５】
[00238]また別の構成では、通常、遠方場通信（たとえば、ＷＷＡＮまたはＷＬＡＮ）のために使用される単一のＭＡＣ、モデム、および無線が、ソフトウェア構成によってＮＦＣ型動作のために再構成され得る。この構成の一例が、図２１に関して説明される。この構成は、単純なアーキテクチャをもたらす。
【０２１６】
[00239]説明するシステムおよび方法は、近接場領域の外側でのＮＦＣ型通信をもたらす。したがって、ＮＦＣの範囲は拡張され得る。説明するシステムおよび方法は、近接場動作のための既存のＮＦＣ回路構成（たとえば、近接場整合ネットワーク１７１２ａおよびＮＦＣループアンテナ１７４０）を維持し得る。しかしながら、遠方場領域の中でのＮＦＣ型動作のために遠方場アンテナ１７１０と遠方場整合ネットワーク１７１２ｂとを再利用することによって、さらなる最適化が達成され得る。追加として、ワイヤレス通信デバイス１７０２とリモートデバイス１７０４との間の通信が近接場領域の外側で生じるので、通信は磁気結合に起因する干渉を受けにくい。
【０２１７】
[00240]図１８は、再利用される遠方場アンテナ１８１０を使用する、遠方場の中でのＮＦＣ型動作のために構成されたワイヤレス通信デバイス１８０２の一例を示すブロック図である。ワイヤレス通信デバイス１８０２は、ＮＦＣブロック１８２０とＷＬＡＮ／ＢＴブロック１８７８とを含み得る。
【０２１８】
[00241]ＮＦＣブロック１８２０は、ＮＦＣ型信号を送信および受信するための送信機（Ｔｘ）および受信機（Ｒｘ）１８６８を含み得る。送信機および受信機１８６８は、近接場経路１８７０と遠方場経路１８６６との間で切り替えられ得る。ＮＦＣブロック１８２０が近接場モード１７４２にあるとき、近接場経路１８７０が選択され得る。ＮＦＣブロック１８２０が遠方場モード１７４４にあるとき、遠方場経路１８６６が選択され得る。
【０２１９】
[00242]近接場経路１８７０は、内部の近接場整合ネットワーク１８１２ａと、ＮＦＣループアンテナ１８４０に結合された外部の整合ネットワーク／ＥＭＩフィルタ／共存（ｃｏｅｘ）フィルタ１８７４とを含み得る。内部の近接場整合ネットワーク１８１２ａは、近接場周波数１７２４において共振を生じさせるためのインピーダンスを用いて構成され得る。
【０２２０】
[00243]遠方場経路１８６６は、内部の遠方場整合ネットワーク１８１２ｂと外部の整合ネットワーク／ｃｏｅｘフィルタ１８７２とを含み得る。内部の遠方場整合ネットワーク１８１２ｂは、遠方場周波数１７２６において共振を生じさせるためのインピーダンスを用いて構成され得る。
【０２２１】
[00244]ワイヤレス通信デバイス１８０２は、ダイプレクサ１８４８を含み得る。ダイプレクサ１８４８は、遠方場アンテナ１８１０、ＷＬＡＮ／ＢＴブロック１８７８のｃｏｅｘフィルタ１８８０、および遠方場経路１８６６の整合ネットワーク／ｃｏｅｘフィルタ１８７２に結合され得る。ダイプレクサ１８４８は、ＷＬＡＮ／ＢＴ動作への影響を回避するようにＮＦＣブロック１８２０がＷＬＡＮ／ＢＴブロック１８７８の遠方場アンテナ１８１０を再利用することを可能にし得、また逆も同様である。
【０２２２】
[00245]ＷＬＡＮ／ＢＴブロック１８７８は、ＷＬＡＮ（たとえば、Ｗｉ−Ｆｉ）動作、Ｂｌｕｅｔｏｏｔｈ動作、または両方を実行し得る。ＷＬＡＮ／ＢＴブロック１８７８は、受信機（Ｒｘ）および送信機（Ｔｘ）１８８２を含み得る。
【０２２３】
[00246]内部の近接場整合ネットワーク１８１２ａは、近接場周波数１７２４（たとえば、１３．５６ＭＨｚ）においてＮＦＣループアンテナ１８４０の中に共振を生じさせるインピーダンス（たとえば、近接場インピーダンス）を用いて構成され得る。内部の遠方場整合ネットワーク１８１２ｂは、遠方場周波数１７２６において再利用される遠方場アンテナ１８１０の中に共振を生じさせるインピーダンスを用いて構成され得る。
【０２２４】
[00247]場合によっては、不十分な周波数分離の遠方場ＮＦＣ型動作およびＷＷＡＮがあり得、その結果、ｃｏｅｘフィルタ処理が役に立たなくなる。さらに、遠方場の中でのＮＦＣ型動作は、ＷＬＡＮ／ＢＴと同じ帯域の中で動作することさえある。ＮＦＣ型動作がＷＬＡＮ／ＢＴと比較してはるかに低いデータレートであるので、相互干渉を回避するために、単純なパケットアービトレーション手順がｃｏｅｘピンを通じて実施されてよい。ＮＦＣブロック１８２０およびＷＬＡＮ／ＢＴブロック１８７８は、パケットアービトレーション手順を実行するために、互いにｃｏｅｘ信号１８７６を送信および受信し得る。パケットは、ＮＦＣ型動作およびＷＬＡＮ／ＢＴ通信に対してスケジュールされ得る。ＮＦＣ型動作ソリューションまたはそれの部分がＷＬＡＮ／ＢＴソリューション内に統合される場合、このｃｏｅｘピンは、２つの技術への内部信号になってよく、両方の集積回路（ＩＣ）のためのピン数を低減し得る。
【０２２５】
[00248]ＮＦＣブロック１８２０が近接場モード１７４２にあるとき、ワイヤレス通信デバイス１８０２は、ＮＦＣループアンテナ１８４０を使用してＮＦＣ型動作を実行し得る。この場合、ＮＦＣブロック１８２０は、ＮＦＣ経路を経由して近接場周波数１７２４においてキャリア信号を送信および受信し得る。
【０２２６】
[00249]ＮＦＣブロック１８２０が遠方場モード１７４４にあるとき、ワイヤレス通信デバイス１８０２は、再利用される遠方場アンテナ１８１０を使用して近接場の外側でＮＦＣ型動作を実行し得る。この場合、ＮＦＣブロック１８２０は、遠方場経路１８６６を経由して遠方場周波数１７２６においてキャリア信号を送信および受信し得る。
【０２２７】
[00250]別の構成では、再利用される遠方場アンテナ１８１０は、複合アンテナを作成するためにＮＦＣループアンテナ１８４０と組み合わせられ得る。この手法は、ＷＬＡＮ／ＢＴ遠方場アンテナ１８１０によってサポートされる従来の周波数よりも低い周波数において、ＮＦＣ型動作を可能にする。複合アンテナを作成するためにＷＬＡＮ／ＢＴ遠方場アンテナ１８１０をＮＦＣループアンテナ１８４０と組み合わせることによって、もっと低い動作周波数がサポートされ得る。組み合わせられると、ＷＬＡＮ／ＢＴ遠方場アンテナ１８１０の電気的長さが増大し、それは次に、もっと低い周波数において十分な利得をもたらす。
【０２２８】
[00251]図１８において、ｃｏｅｘ信号１８７６は、ＷＬＡＮ／ＢＴ／ＮＦＣ複合アンテナを有効化するようにアンテナスイッチ１８６４を制御し得る。アンテナスイッチ１８６４を閉じることによって、複合アンテナが有効化され得る。アンテナスイッチ１８６４を開くことによって、複合アンテナが無効化され得る。アンテナスイッチ１８６４の組合せを用いて、上述のモードがサポートされ得る。
【０２２９】
[00252]図１９は、再利用される遠方場アンテナ１９１０を使用する、遠方場領域の中でのＮＦＣ型動作のために構成されたワイヤレス通信デバイス１９０２の別の例を示すブロック図である。この例では、ワイヤレス通信デバイス１９０２は、遠方場領域の中でＮＦＣ型動作を、および共通の共有無線１９９０と遠方場アンテナ１９１０とを使用してＷＬＡＮ動作を実行し得る。
【０２３０】
[00253]ＷＬＡＮ／ＮＦＣブロック１９７８は、プロセッサ１９８４とメモリ１９８６とを含み得る。ＷＬＡＮ８０２．１１ａｈ  ＭＡＣ１９９２およびＷＬＡＮ８０２．１１ａｈモデム１９９４が、マルチプレクサ１９０１に結合され得る。ＮＦＣ  ＭＡＣ１９９６およびＮＦＣモデム１９９８も、マルチプレクサ１９０１に結合され得る。
【０２３１】
[00254]共有無線１９９０は、送信機（Ｔｘ）および受信機（Ｒｘ）１９０５を有し得る。共有無線１９９０は、無線構成（ｃｏｎｆｉｇ）ブロック１９８８によって、８０２．１１ａｈ動作またはＮＦＣ型動作のために構成され得る。共有無線１９９０は、内部の整合ネットワーク１９１２ａに結合され得る。内部の整合ネットワーク１９１２ａは、（随意の）外部の整合ネットワーク１９１２ｂに結合され得、整合ネットワーク１９１２ｂは次に、（随意の）共存（ｃｏｅｘ）フィルタ１９８０および遠方場アンテナ１９１０に結合される。
【０２３２】
[00255]この構成では、ＷＬＡＮ動作およびＮＦＣ型動作からのベースバンド信号は、いずれかの技術（すなわち、ＷＬＡＮ動作およびＮＦＣ型動作）が共有無線１９９０および遠方場アンテナ１９１０へのアクセスを有するように、選択信号１９０３を介して共有無線１９９０へ多重化され得る。したがって、ＷＬＡＮ／ＮＦＣブロック１９７８は、共通の共有無線１９９０および遠方場アンテナ１９１０の時間共有（たとえば、時分割二重化）を実施し得る。
【０２３３】
[00256]ＷＬＡＮ／ＮＦＣブロック１９７８は、遠方場モード１７４４にあるとき、近接場領域の外側でＮＦＣ型動作を実行し得る。ＮＦＣブロック１７２０（図示せず）は、図１７に関して上記で説明したように、近接場モード１７４２にあるとき、ＮＦＣループアンテナ１７４０（図示せず）を使用して近接場領域の内側でＮＦＣ型動作を実行し得る。
【０２３４】
[00257]図２０は、再利用される遠方場アンテナ２０１０を使用する、遠方場領域の中でのＮＦＣ型動作のために構成されたワイヤレス通信デバイス２００２のまた別の例を示すブロック図である。この例では、ワイヤレス通信デバイス２００２は、完全な同時のＮＦＣ型動作とＷＬＡＮ動作とを実行し得る。
【０２３５】
[00258]ＷＬＡＮ／ＮＦＣブロック２０７８は、プロセッサ２０８４とメモリ２０８６とを含み得る。ＷＬＡＮ経路は、ＷＬＡＮ８０２．１１ａｈ  ＭＡＣ２０９２とＷＬＡＮ８０２．１１ａｈモデム２０９４とを含み得る。ＮＦＣ型動作経路は、ＮＦＣ  ＭＡＣ２０９６とＮＦＣモデム２０９８とを含み得る。
【０２３６】
[00259]ＷＬＡＮ／ＮＦＣ無線２０９０は、ＷＬＡＮ経路およびＮＦＣ型動作経路のための別個の送信チェーンと受信機チェーンとを含み得る。受信機チェーンは、受信整合ネットワーク２０１２ａに結合された共有低雑音増幅器（ＬＮＡ）２０２５を有し得る。ＷＬＡＮ経路の受信機チェーンは、バンドパスフィルタ２０１９ａと、ミキサ２０１７ａと、低域フィルタ（ＬＰＦ）２０１５ａと、受信信号２００７ａをＷＬＡＮ８０２．１１ａｈモデム２０９４に供給するアナログデジタル変換器（ＡＤＣ）２０１１ａとを含み得る。ＮＦＣ型動作経路の受信機チェーンは、バンドパスフィルタ２０１９ｂと、ミキサ２０１７ｂと、低域フィルタ（ＬＰＦ）２０１５ｂと、受信信号２００７ｂをＮＦＣモデム２０９８に供給するＡＤＣ２０１１ｂとを含み得る。
【０２３７】
[00260]送信チェーンは、送信整合ネットワーク２０１２ｂに結合された共有電力増幅器（ＰＡ）２０２７を有し得る。ＷＬＡＮ経路の送信チェーンは、バンドパスフィルタ２０１９ｃと、ミキサ２０１７ｃと、低域フィルタ（ＬＰＦ）２０１５ｃと、送信信号２００９ａにおいて受信するデジタルアナログ変換器（ＤＡＣ）２０１３ａとを含み得る。ＮＦＣ型動作経路の送信チェーンは、バンドパスフィルタ２０１９ｄと、ミキサ２０１７ｄと、低域フィルタ（ＬＰＦ）２０１５ｄと、送信信号２００９ｂにおいて受信するＤＡＣ２０１３ｂとを含み得る。
【０２３８】
[00261]ＷＬＡＮシンセサイザ２０２１は、ＷＬＡＮ受信機チェーンのミキサ２０１７ａおよびＷＬＡＮ送信チェーンのミキサ２０１７ｃに結合され得る。ＮＦＣシンセサイザ２０２３は、ＮＦＣ型動作受信機チェーンのミキサ２０１７ｂおよびＮＦＣ型動作送信チェーンのミキサ２０１７ｄに結合され得る。
【０２３９】
[00262]受信整合ネットワーク２０１２ａおよび送信整合ネットワーク２０１２ｂは、送信／受信（Ｔ／Ｒ）ブロック２０２９に結合され得る。Ｔ／Ｒブロック２０２９は、（随意の）整合ネットワーク２０１２ｃおよび（随意の）ｃｏｅｘフィルタ２０８０に結合され得る。
【０２４０】
[00263]この構成では、同時の動作は、遠方場の中でのＮＦＣ型動作、および８０２．１１ａｈ動作のために、同じＩＳＭバンドを占有し得る。代替として、遠方場の中でのＮＦＣ型動作用の４３３ＭＨｚおよび８０２．１１ａｈ用の９０２ＭＨｚ帯域などの、２つの異なるＩＳＭバンドが同時の動作のために使用されてもよい。
【０２４１】
[00264]ＷＬＡＮ／ＮＦＣブロック２０７８は、遠方場モード１７４４にあるとき、近接場領域の外側でＮＦＣ型動作を実行し得る。ＮＦＣブロック１７２０（図示せず）は、図１７に関して上記で説明したように、近接場モード１７４２にあるとき、ＮＦＣループアンテナ１７４０（図示せず）を使用して近接場領域の内側でＮＦＣ型動作を実行し得る。
【０２４２】
[00265]図２１は、再利用される遠方場アンテナ２１１０を使用する、遠方場領域の中でのＮＦＣ型動作のために構成されたワイヤレス通信デバイス２１０２の別の例を示すブロック図である。この例では、ワイヤレス通信デバイス２１０２は、単一のメディアアクセス制御（ＭＡＣ）２１３１と、モデム２１３３と、無線２１９０とを使用して、ＮＦＣ型動作と遠方場通信（たとえば、ＷＷＡＮまたはＷＬＡＮ）の両方を実行し得る。
【０２４３】
[00266]ＷＷＡＮ／ＷＬＡＮ／ＮＦＣブロック２１７８は、図１９に関して上記で説明したように、プロセッサ２１８４とメモリ２１８６とを含み得る。しかしながら、図２１に示す構成では、ＷＷＡＮ／ＷＬＡＮ／ＮＦＣブロック２１７８は、遠方場の中でのＮＦＣ型動作とＷＷＡＮ動作またはＷＬＡＮ動作とを実行するための、単一のＭＡＣ２１３１とモデム２１３３とを含む。通常、ＷＷＡＮまたはＷＬＡＮのために使用される無線２１９０が、ソフトウェア構成によって遠方場の中でのＮＦＣ型動作のために再構成され得る。ＷＷＡＮ／ＷＬＡＮ／ＮＦＣブロック２１７８が、ＷＷＡＮ通信もしくはＷＬＡＮ通信、またはＷＷＡＮ通信とＷＬＡＮ通信との組合せのために構成され得ることに留意されたい。
【０２４４】
[00267]無線２１９０は、送信機（Ｔｘ）および受信機（Ｒｘ）２１０５を有し得る。無線２１９０は、無線構成（ｃｏｎｆｉｇ）ブロック２１８８によって、遠方場の中での８０２．１１ａｈ動作またはＮＦＣ型動作のために構成され得る。無線２１９０は、内部の整合ネットワーク２１１２ａに結合され得る。内部の整合ネットワーク２１１２ａは、外部の整合ネットワーク２１１２ｂに結合され得、整合ネットワーク２１１２ｂは次に、共存（ｃｏｅｘ）フィルタ２１８０および遠方場アンテナ２１１０に結合される。
【０２４５】
[00268]ＷＷＡＮ／ＷＬＡＮ／ＮＦＣブロック２１７８は、遠方場モード１７４４にあるとき、近接場領域の外側でＮＦＣ型動作を実行し得る。ＮＦＣブロック１７２０（図示せず）は、図１７に関して上記で説明したように、近接場モード１７４２にあるとき、ＮＦＣループアンテナ１７４０（図示せず）を使用して近接場領域の内側でＮＦＣ型動作を実行し得る。代替として、ワイヤレス通信デバイス２１０２は、ＮＦＣブロック１７２０を含まなくてもよい。代わりに、ワイヤレス通信デバイス２１０２は、ＷＷＡＮ／ＷＬＡＮ／ＮＦＣブロック２１７８を使用して遠方場領域の中でＮＦＣ型動作を実行するだけでもよい。
【０２４６】
[00269]図２２は、ＮＦＣシステム２２００を示すブロック図である。ＮＦＣ型システム２２００は、複数のＮＦＣタグ２２３７Ａ〜２２３７Ｄと、複数のＮＦＣリーダー２２３９Ａ〜２２３９Ｃと、アプリケーションサーバ２２４３とを含む。
【０２４７】
[00270]ＮＦＣタグ２２３７Ａ〜２２３７Ｄは各々、限定はしないが、在庫管理を追跡すること、ステータスを追跡すること、位置決定、および組み立て進行を含む、様々な目的のための特定の対象物に関連し得る。ＮＦＣタグ２２３７Ａ〜２２３７Ｄは、内部電源を含む能動デバイス、またはＮＦＣリーダー２２３９Ａ〜２２３９Ｃから電力を導出する受動デバイスであってよい。
【０２４８】
[00271]図２２は４つのＮＦＣタグおよび３つのＮＦＣリーダーのみを示すが、本開示はそれらに限定されない。一構成では、ＮＦＣタグ２２３７Ａ〜２２３７Ｄは、図１に関して説明したリモートデバイス１０４に従って実施され得る。一構成では、リーダー２２３９Ａ〜２２３９Ｃは、図１に関して説明したワイヤレス通信デバイス１０２に従って実施され得る。
【０２４９】
[00272]近接場動作に加えて、ＮＦＣリーダー２２３９Ａ〜２２３９Ｃは、図１に関して上記で説明したように、遠方場領域の中で１つまたは複数のＮＦＣタグ２２３７Ａ〜２２３７Ｄとともに動作し得る。また、ＮＦＣリーダー２２３９は、混在した近接場および遠方場の読取り／書込みシナリオを実施し得る。言い換えれば、ＮＦＣリーダー２２３９は、近接場領域または遠方場領域の中で複数のＮＦＣタグ２２３７Ａ〜２２３７Ｄと通信し得る。
【０２５０】
[00273]各ＮＦＣリーダー２２３９Ａ〜２２３９Ｃは、そのカバレージエリア内で１つまたは複数のＮＦＣタグ２２３７Ａ〜２２３７Ｄとデータをワイヤレス通信する。たとえば、ＮＦＣタグ２２３７Ａおよび２２３７ＢがＮＦＣリーダー２２３９Ａのカバレージエリア内にあってよく、ＮＦＣタグ２２３７Ｂおよび２２３７ＣがＮＦＣリーダー２２３９Ｂのカバレージエリア内にあってよく、ＮＦＣタグ２２３７Ｃおよび２２３７ＤがＮＦＣリーダー２２３９Ｃのカバレージエリア内にあり得る。一構成では、ＮＦＣリーダー２２３９Ａ〜２２３９ＣとＮＦＣタグ２２３７Ａ〜２２３７Ｄとの間のＲＦ通信メカニズムは、後方散乱技法である。この構成では、ＮＦＣリーダー２２３９Ａ〜２２３９Ｃは、ＲＦ信号を介してＮＦＣタグ２２３７Ａ〜２２３７Ｄにデータを要求し、ＲＦタグ２２３７Ａ〜２２３７Ｄは、ＮＦＣリーダー２２３９Ａ〜２２３９Ｃによって供給されたＲＦ信号を変調し後方散乱させることによって、要求されたデータを用いて応答する。
【０２５１】
[00274]近接場通信のための構成では、ＲＦ通信メカニズムはインダクタンス技法であり、それによって、ＮＦＣリーダー２２３９Ａ〜２２３９Ｃは、ＮＦＣタグ２２３７Ａ〜２２３７Ｄ上のデータにアクセスするために、ＲＦ信号を介してＮＦＣタグ２２３７Ａ〜２２３７Ｄに磁気結合する。遠方場通信のための構成では、ＲＦ通信メカニズムは無線技法であり、それによって、ＮＦＣリーダー２２３９Ａ〜２２３９Ｃは、ＮＦＣタグ２２３７Ａ〜２２３７Ｄ上のデータにアクセスするために、再利用されるアンテナを使用して遠方場領域の中でＮＦＣタグ２２３７Ａ〜２２３７Ｄへ電磁信号を送信する。これらの構成のいずれかでは、ＮＦＣタグ２２３７Ａ〜２２３７Ｄは、ＲＦ信号と同じＲＦキャリア周波数上で、要求されたデータをＮＦＣリーダー２２３９Ａ〜２２３９Ｃに提供する。
【０２５２】
[00275]このようにして、ＮＦＣリーダー２２３９Ａ〜２２３９Ｃは、そのカバレージエリア内でＮＦＣタグ２２３７Ａ〜２２３７Ｄの各々からデータを収集する。収集されたデータは、次いで、有線もしくはワイヤレスの接続２２４１を介して、および／または可能な通信メカニズム、たとえば、ピアツーピア通信接続を介して、アプリケーションサーバ２２４３に運ばれる。追加および／または代替として、アプリケーションサーバ２２４３は、関連するＮＦＣリーダー２２３９Ａ〜２２３９Ｃを介してＮＦＣタグ２２３７Ａ〜２２３７Ｄのうちの１つまたは複数にデータを提供し得る。そのようなダウンロードされた情報は、アプリケーション依存であり非常に多様であり得る。ダウンロードされたデータを受信すると、ＮＦＣタグは、その中の不揮発性メモリにデータを記憶することができる。
【０２５３】
[00276]別の構成では、ＮＦＣリーダー２２３９Ａ〜２２３９Ｃは、各ＮＦＣリーダーがアプリケーションサーバ２２４３への別個の有線またはワイヤレスの接続２２４１を必要としないようなピアツーピアで、データを随意に通信し得る。たとえば、ＮＦＣリーダー２２３９ＡおよびＮＦＣリーダー２２３９Ｂは、後方散乱技法、ＷＬＡＮ技法、および／または任意の他のワイヤレス通信技法を利用してピアツーピアで通信し得る。この事例では、ＮＦＣリーダー２２３９Ｂは、アプリケーションサーバ２２４３への有線またはワイヤレスの接続２２４１を含まなくてよい。ＮＦＣリーダー２２３９Ａ〜２２３９Ｃとアプリケーションサーバ２２４３との間の通信が有線またはワイヤレスの接続２２４１を通じて運ばれる構成では、有線またはワイヤレスの接続２２４１は、複数の有線規格（たとえば、イーサネット（登録商標）およびファイアワイヤ）および／またはワイヤレス通信規格（たとえば、ＩＥＥＥ８０２．１１ｘおよびＢｌｕｅｔｏｏｔｈ）のうちの任意の規格を利用し得る。
【０２５４】
[00277]当業者が諒解するように、図２２のＮＦＣシステムは、ＮＦＣタグが機器、在庫管理、および／または人員に関連付けられ得る所望の位置（たとえば、建物またはオフィス所在地）全体にわたって分散される、多数のＮＦＣリーダー２２３９Ａ〜２２３９Ｃを含むように拡張されてよい。加えて、ワイドエリアネットワークカバレージを提供するために、アプリケーションサーバ２２４３が別のサーバおよび／またはネットワーク接続に結合されてよいことに留意されたい。
【０２５５】
[00278]図２３は、トランシーバとリモートユニットとを含むＮＦＣ型システム２３００の例示的な概略を示すブロック図である。ＮＦＣシステム２３００は、ＮＦＣトランシーバ２３４５と、ＮＦＣタグなどのリモートユニット２３５７とを含む。ＮＦＣトランシーバ２３４５は、電圧電源２３５１と、ＮＦＣトランシーバ制御回路２３５３と、送信機回路２３４９とを含み得る。ＮＦＣトランシーバ制御回路２３５３は、電圧源２３５１によって電力供給され、１つまたは複数のトランシーバループ２３４７に接続される。
【０２５６】
[00279]トランシーバループ２３４７は、以下でコイルまたはループアンテナと交換して使用される。コイルおよびループアンテナは、それを通って交流（ＡＣ）２３５５が流れることができる導電性材料、たとえば、電磁コイルで作られてよい。トランシーバループ２３４７は、円形、楕円形などであってよいが、他のサイズおよび形状も可能である。
【０２５７】
[00280]近接場通信に対して、トランシーバループ２３４７を通って流れるＡＣ電流２３５５は、結果として様々な周波数（たとえば、約１００ｋＨｚ〜約４０ＭＨｚ）において磁気エネルギーすなわち磁束２３６５を送信することになり得る。近接場の場合には、放射される周波数の波長は、ＮＦＣトランシーバ２３４５上のループ２３４７のサイズよりもはるかに長くなり得る。
【０２５８】
[00281]遠方場通信に対して、トランシーバループ２３４７を通って流れるＡＣ電流２３５５は、結果として遠方場領域の中で電磁波を送信することになり得る。遠方場通信用の周波数は、２７．１２ＭＨｚから２．４５ＧＨｚまでであってよい。遠方場の場合には、放射される遠方場周波数の波長は、ＮＦＣトランシーバ２３４５上のループ２３４７のサイズの分数（たとえば、１／４、１／２）または複数の波長であってよい。
【０２５９】
[00282]リモートユニット２３５７は、受信機回路２３５９とリモートユニット制御回路２３６１とを含む。リモートユニット２３５７がＮＦＣトランシーバ２３４５に十分近い場合、トランシーバ２３４５からの磁束２３６５は、導電性材料の１つまたは複数のリモートユニットループ２３６３上にＡＣを結合させることができ、リモートユニット２３５７は、電磁コイルとリモートユニット制御回路２３６１とを有する、電力供給されないデバイス（すなわち、バッテリー、または継続的な電力を印加する他の手段を有しない）であってよい。
【０２６０】
[00283]リモートユニット制御回路２３６１の中で交互の方向に流れる、発振しているＡＣ電流２３６７は、リモートユニット制御回路２３６１の中の整流ダイオードによって整流され得、リモートユニット制御回路２３６１の中のバイパスキャパシタの両端に蓄積させるように電圧を発生することができる。バイパスキャパシタが十分な電圧を蓄積すると、リモートユニット制御回路２３６１は電力が供給され動作可能になることができる。結合された被変調ＡＣ信号をＮＦＣトランシーバ２３４５から受信することによって、リモートユニット２３５７は、ＮＦＣトランシーバ２３４５からの情報（たとえば、コマンド）を受信および検出することができる。
【０２６１】
[00284]動作可能になると、リモートユニット制御回路２３６１はまた、リモートユニットループ２３６３によって生じたインピーダンスを変化させることによって、ＮＦＣトランシーバ２３４５へ信号を返送し得る。リモートユニットループ２３６３を、たとえば、スイッチを用いて分流または開放することによって、このことは達成され得る。リモートユニット２３５７がＮＦＣトランシーバ２３４５に十分近い場合、リモートユニット２３５７の中のリモートユニットループ２３６３によって生成される被変調電磁場は、ＮＦＣトランシーバ２３４５のリーダーループ２３４７上に戻って結合され得る。ＮＦＣトランシーバ２３４５へ返送される信号は、ゆっくりとした１００ビット程度のデータであり得、リモートユニット２３５７が取り付けられている先のデバイスのシリアル番号またはモデル番号、クレジットカード番号、個人識別情報、セキュリティコード、およびパスワードなどの情報を、トランシーバ２３４５に戻して提供することができる。
【０２６２】
[00285]図２４は、ワイヤレス通信デバイス２４０２内に含まれ得るいくつかの構成要素を示す。ワイヤレス通信デバイス２４０２は、アクセス端末、移動局、ユーザ機器（ＵＥ）などであってよい。たとえば、ワイヤレス通信デバイス２４０２は、図１のワイヤレス通信デバイス１０２であってよい。
【０２６３】
[00286]ワイヤレス通信デバイス２４０２は、プロセッサ２４８４を含む。プロセッサ２４８４は、汎用のシングルまたはマルチチップマイクロプロセッサ（たとえば、高度ＲＩＳＣ（縮小命令セットコンピュータ）マシン（ＡＲＭ））、専用マイクロプロセッサ（たとえば、デジタル信号プロセッサ（ＤＳＰ））、マイクロコントローラ、プログラマブルゲートアレイなどであってよい。プロセッサ２４８４は、中央処理装置（ＣＰＵ）と呼ばれることがある。図２４のワイヤレス通信デバイス２４０２において単一のプロセッサ２４８４だけが示されるが、代替構成では、プロセッサの組合せ（たとえば、ＡＲＭとＤＳＰ）が使用されてよい。
【０２６４】
[00287]ワイヤレス通信デバイス２４０２はまた、プロセッサと電子通信しているメモリ２４８６を含む（すなわち、プロセッサは、メモリから情報を読み取ることができ、および／またはメモリに情報を書き込むことができる）。メモリ２４８６は、電子情報を記憶することが可能な任意の電子構成要素であってよい。メモリ２４８６は、それらの組合せを含む、ランダムアクセスメモリ（ＲＡＭ）、読取り専用メモリ（ＲＯＭ）、磁気ディスク記憶媒体、光記憶媒体、ＲＡＭの中のフラッシュメモリデバイス、プロセッサとともに含まれるオンボードメモリ、ＥＰＲＯＭメモリ、ＥＥＰＲＯＭ（登録商標）メモリ、レジスタなどとして構成され得る。
【０２６５】
[00288]データ２４６９ａおよび命令２４７１ａは、メモリ２４８６の中に記憶され得る。命令は、１つまたは複数のプログラム、ルーチン、サブルーチン、関数、プロシージャ、コードなどを含み得る。命令は、単一のコンピュータ可読ステートメントまたは多数のコンピュータ可読ステートメントを含み得る。命令２４７１ａは、本明細書で開示する方法を実施するようにプロセッサ２４８４によって実行可能であり得る。命令２４７１ａを実行することは、メモリ２４８６の中に記憶されているデータ２４６９ａの使用を伴い得る。プロセッサ２４８４が命令２４７１を実行するとき、命令２４７１ｂの様々な部分がプロセッサ２４８４上にロードされ得、データ２４６９ｂの様々な部分がプロセッサ２４８４上にロードされ得る。
【０２６６】
[00289]ワイヤレス通信デバイス２４０２はまた、アンテナ２４１０を介してワイヤレス通信デバイス２４０２との間で信号の送信および受信を可能にするために、送信機２４３２と受信機２４３４とを含み得る。送信機２４３２および受信機２４３４は、総称してトランシーバ２４７３と呼ばれることがある。ワイヤレス通信デバイス２４０２はまた、乗数送信機、乗数アンテナ、乗数受信機、および／または乗数トランシーバを含み得る（図示せず）。
【０２６７】
[00290]ワイヤレス通信デバイス２４０２は、デジタル信号プロセッサ（ＤＳＰ）２４７７を含み得る。ワイヤレス通信デバイス２４０２はまた、通信インターフェース２４７９を含み得る。通信インターフェース２４７９は、ユーザがワイヤレス通信デバイス２４０２と対話することを可能にし得る。
【０２６８】
[00291]ワイヤレス通信デバイス２４０２の様々な構成要素は１つまたは複数のバスによって互いに結合されてよく、バスは、電力バス、制御信号バス、ステータス信号バス、データバスなどを含み得る。明快のために、様々なバスがバスシステム２４７５として図２４に示される。
【０２６９】
[00292]上記の説明では、参照番号が様々な用語に関して時々使用された。参照番号に関連して用語が使用される場合、このことは、図のうちの１つまたは複数において示される特定の要素を参照することを意味し得る。参照番号なしで用語が使用される場合、このことは、一般に、いかなる特定の図にも限定せずに用語を参照することを意味し得る。
【０２７０】
[00293]「決定すること」という用語は、多種多様のアクションを包含し、したがって、「決定すること」は、計算すること、演算すること、処理すること、導出すること、調査すること、探索すること（たとえば、テーブル、データベース、または別のデータ構造を探索すること）、確かめることなどを含むことができる。また、「決定すること」は、受信すること（たとえば、情報を受信すること）、アクセスすること（たとえば、メモリの中のデータにアクセスすること）などを含むことができる。また、「決定すること」は、解決すること、選択すること、選ぶこと、確立することなどを含むことができる。
【０２７１】
[00294]「〜に基づく」という句は、別段に明記されていない限り、「〜にのみ基づく」を意味しない。言い換えれば、「〜に基づく」という句は、「〜にのみ基づく」と「〜に少なくとも基づく」の両方を述べる。
【０２７２】
[00295]「プロセッサ」という用語は、汎用プロセッサ、中央処理装置（ＣＰＵ）、マイクロプロセッサ、デジタル信号プロセッサ（ＤＳＰ）、コントローラ、マイクロコントローラ、ステートマシンなどを包含するものと広く解釈されるべきである。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指し得る。「プロセッサ」という用語は、処理デバイスの組合せ、たとえば、デジタル信号プロセッサ（ＤＳＰ）とマイクロプロセッサとの組合せ、複数のマイクロプロセッサ、デジタル信号プロセッサ（ＤＳＰ）コアと連携する１つもしくは複数のマイクロプロセッサ、または任意の他のそのような構成を指し得る。
【０２７３】
[00296]「メモリ」という用語は、電子情報を記憶することが可能な任意の電子構成要素を包含するものと広く解釈されるべきである。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気式または光学式のデータストレージ、レジスタなどの、様々なタイプのプロセッサ可読媒体を指し得る。プロセッサがメモリから情報を読み取ることができ、および／またはメモリに情報を書き込むことができる場合、メモリはプロセッサと電子通信していると言われる。プロセッサに統合されているメモリは、プロセッサと電子通信している。
【０２７４】
[00297]「命令」および「コード」という用語は、任意のタイプのコンピュータ可読ステートメントを含むものと広く解釈されるべきである。たとえば、「命令」および「コード」という用語は、１つまたは複数のプログラム、ルーチン、サブルーチン、関数、プロシージャなどを指し得る。「命令」および「コード」は、単一のコンピュータ可読ステートメントまたは多数のコンピュータ可読ステートメントを備え得る。
【０２７５】
[00298]本明細書で説明した機能は、ハードウェアによって実行されているソフトウェアまたはファームウェアで実装され得る。機能は、１つまたは複数の命令としてコンピュータ可読媒体上に記憶され得る。「コンピュータ可読媒体」または「コンピュータプログラム製品」という用語は、コンピュータまたはプロセッサによってアクセスされ得る任意の有形記憶媒体を指す。限定ではなく例として、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気記憶デバイス、あるいは所望のプログラムコードを命令またはデータ構造の形態で搬送または記憶するために使用され得るとともにコンピュータによってアクセスされ得る任意の他の媒体を含み得る。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、レーザーを用いてデータを光学的に再生する。コンピュータ可読媒体が有形および非一時的であってよいことに留意されたい。「コンピュータプログラム製品」という用語は、コンピューティングデバイスまたはプロセッサによって実行、処理、または演算され得るコードまたは命令（たとえば、「プログラム」）と組み合わせたコンピューティングデバイスまたはプロセッサを指す。本明細書で使用する「コード」という用語は、コンピューティングデバイスまたはプロセッサによって実行可能であるソフトウェア、命令、コード、またはデータを指し得る。
【０２７６】
[00299]ソフトウェアまたは命令はまた、伝送媒体を介して送信され得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他の遠隔ソースから送信される場合、同軸ケーブル、光ファイバケーブル、ツイストペア、ＤＳＬ、または赤外線、無線、およびマイクロ波などのワイヤレス技術は、伝送媒体の定義に含まれる。
【０２７７】
[00300]本明細書で開示した方法は、説明された方法を達成するための１つまたは複数のステップまたはアクションを備える。方法ステップおよび／またはアクションは、特許請求の範囲から逸脱することなく、互いに交換され得る。言い換えれば、説明されている方法の適切な動作のためにステップまたはアクションの特定の順序が必要とされない限り、特定のステップおよび／またはアクションの順序および／または使用は、特許請求の範囲から逸脱することなく変更され得る。
【０２７８】
[00301]さらに、図２〜図４によって示されたものなどの本明細書で説明した方法および技法を実行するためのモジュールおよび／または他の適切な手段が、デバイスによってダウンロードおよび／または別のやり方で取得され得ることを諒解されたい。たとえば、デバイスは、本明細書で説明した方法を実行するための手段の転送を容易にするために、サーバに結合され得る。代替として、本明細書で説明した様々な方法は、記憶手段をデバイスに結合するかまたは与えるとデバイスが様々な方法を取得し得るような記憶手段（たとえば、ランダムアクセスメモリ（ＲＡＭ）、読取り専用メモリ（ＲＯＭ）、コンパクトディスク（ＣＤ）またはフロッピーディスクなどの物理記憶媒体など）を介して提供され得る。その上、本明細書で説明した方法および技法をデバイスに提供するための任意の他の好適な技法が利用され得る。
【０２７９】
[00302]特許請求の範囲が、上記で示された厳密な構成および構成要素に限定されないことを理解されたい。特許請求の範囲から逸脱することなく、本明細書で説明したシステム、方法、および装置の構成、動作、および詳細において、様々な修正、変更、および変形が行われ得る。
【図１】
2018513584.tif 000003
【図２】
2018513584.tif 000004
【図３】
2018513584.tif 000005
【図４】
2018513584.tif 000006
【図５】
2018513584.tif 000007
【図６】
2018513584.tif 000008
【図７】
2018513584.tif 000009
【図８】
2018513584.tif 000010
【図９】
2018513584.tif 000011
【図１０】
2018513584.tif 000012
【図１１】
2018513584.tif 000013
【図１２】
2018513584.tif 000014
【図１３】
2018513584.tif 000015
【図１４】
2018513584.tif 000016
【図１５】
2018513584.tif 000017
【図１６】
2018513584.tif 000018
【図１７】
2018513584.tif 000019
【図１８】
2018513584.tif 000020
【図１９】
2018513584.tif 000021
【図２０】
2018513584.tif 000022
【図２１】
2018513584.tif 000023
【図２２】
2018513584.tif 000024
【図２３】
2018513584.tif 000025
【図２４】
2018513584.tif 000026
【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
近接場通信（ＮＦＣ）型動作を近接場モードで実行すべきかそれとも遠方場モードで実行すべきかを決定することと、
前記遠方場モードにあるとき、再利用される遠方場アンテナを使用して近接場領域の外側でＮＦＣ型動作を実行することと、
を備える方法。
【請求項２】
前記ＮＦＣ型動作が、ＮＦＣプロトコルまたは無線周波数識別（ＲＦＩＤ）プロトコルに基づくワイヤレス通信を含む、請求項１に記載の方法。
【請求項３】
前記近接場領域の外側でＮＦＣ型動作を実行することが、前記再利用される遠方場アンテナを使用して、遠方場領域の中で動作するキャリア信号を送信することまたは受信することを備える、請求項１に記載の方法。
【請求項４】
前記ＮＦＣ型動作が、近放射領域、遷移領域、または放射領域の中で実行される、請求項１に記載の方法。
【請求項５】
前記ＮＦＣ型動作が遠方場無線によって実行される、請求項１に記載の方法。
【請求項６】
ＮＦＣ型動作を前記近接場モードで実行すべきかそれとも前記遠方場モードで実行すべきかを決定することが、前記近接場領域および遠方場領域の中でポーリングすることに基づく、請求項１に記載の方法。
【請求項７】
ＮＦＣ型動作を前記近接場モードで実行すべきかそれとも前記遠方場モードで実行すべきかを決定することが、近接場モードまたは遠方場モードで動作するように構成されているソフトウェアアプリケーションを動作させることをユーザが選択することに基づく、請求項１に記載の方法。
【請求項８】
ＮＦＣ型動作を前記近接場モードで実行すべきかそれとも前記遠方場モードで実行すべきかを決定することが位置情報に基づく、請求項１に記載の方法。
【請求項９】
前記ＮＦＣ型動作がＮＦＣコントローラによって実行される、請求項１に記載の方法。
【請求項１０】
近接場モードで使用される第１のインピーダンスから遠方場モードで使用される第２のインピーダンスまで整合ネットワークを調整することをさらに備え、ここにおいて、前記第１のインピーダンスが、近接場周波数に一致する第１の共振ピークを生じさせ、前記第２のインピーダンスが、遠方場周波数に一致する第２の共振ピークを生じさせる、請求項１に記載の方法。
【請求項１１】
前記再利用される遠方場アンテナが、ＮＦＣコントローラおよびＦＭ受信機によって共有されるＦＭアンテナである、請求項１に記載の方法。
【請求項１２】
前記再利用される遠方場アンテナが、ワイヤレスワイドエリアネットワーク（ＷＷＡＮ）アンテナである、請求項１に記載の方法。
【請求項１３】
前記ＷＷＡＮアンテナが、ダイプレクサを用いてＮＦＣコントローラおよびＷＷＡＮブロックに結合されている、請求項１２に記載の方法。
【請求項１４】
前記再利用される遠方場アンテナが、ワイヤレスローカルエリアネットワーク（ＷＬＡＮ）通信またはＢｌｕｅｔｏｏｔｈ（ＢＴ）通信のために使用される、請求項１に記載の方法。
【請求項１５】
ＷＬＡＮ動作およびＮＦＣ型動作が、共通の無線と前記再利用される遠方場アンテナとを共有する、請求項１４に記載の方法。
【請求項１６】
前記共通の無線が、遠方場領域の中でのＮＦＣ型動作のために再構成可能なＷＬＡＮ８０２．１１ａｈ無線である、請求項１５に記載の方法。
【請求項１７】
ＷＬＡＮ動作およびＮＦＣ型動作からのベースバンド信号が、前記共通の無線へ多重化される、請求項１５に記載の方法。
【請求項１８】
ＷＬＡＮ動作およびＮＦＣ型動作が、完全な同時実行のために低雑音増幅器（ＬＮＡ）を共有し電力増幅器（ＰＡ）を共有する、請求項１４に記載の方法。
【請求項１９】
ＷＬＡＮのために使用されるメディアアクセス制御（ＭＡＣ）、モデム、および無線が、ＮＦＣ型動作のために再構成される、請求項１に記載の方法。
【請求項２０】
ＮＦＣ型動作用の遠方場周波数が前記再利用される遠方場アンテナによって単体でサポートされるかどうかを決定することと、
前記再利用される遠方場アンテナによって単体でサポートされ得るよりも前記遠方場周波数が低いとき、前記近接場領域の外側でＮＦＣ型動作を実行するための複合アンテナを作成するために、前記再利用される遠方場アンテナとＮＦＣループアンテナとを組み合わせることと、
をさらに備える、請求項１に記載の方法。
【請求項２１】
ＮＦＣループアンテナを使用して前記近接場領域の内側で、および前記再利用される遠方場アンテナを使用して前記近接場領域の外側で、同時のＮＦＣ型動作を実行することをさらに備える、請求項１に記載の方法。
【請求項２２】
近接場領域の外側でＮＦＣ型動作を実行することが、遠方場周波数を使用してポーリング周波数掃引を実行することを備える、請求項１に記載の方法。
【請求項２３】
ワイヤレス通信デバイスであって、
プロセッサと、
前記プロセッサと通信しているメモリと、
前記メモリに記憶された命令と、を備え、前記命令が前記プロセッサによって、
近接場通信（ＮＦＣ）型動作を近接場モードで実行すべきかそれとも遠方場モードで実行すべきかを決定し、
前記遠方場モードにあるとき、再利用される遠方場アンテナを使用して近接場領域の外側でＮＦＣ型動作を実行するように実行可能である、
ワイヤレス通信デバイス。
【請求項２４】
前記ＮＦＣ型動作が、ＮＦＣプロトコルまたは無線周波数識別（ＲＦＩＤ）プロトコルに基づくワイヤレス通信を含む、請求項２３に記載のワイヤレス通信デバイス。
【請求項２５】
前記近接場領域の外側でＮＦＣ型動作を実行することが、前記再利用される遠方場アンテナを使用して、遠方場領域の中で動作するキャリア信号を送信することまたは受信することを備える、請求項２３に記載のワイヤレス通信デバイス。
【請求項２６】
前記ＮＦＣ型動作が遠方場無線によって実行される、請求項２３に記載のワイヤレス通信デバイス。
【請求項２７】
前記ＮＦＣ型動作がＮＦＣコントローラによって実行される、請求項２３に記載のワイヤレス通信デバイス。
【請求項２８】
前記再利用される遠方場アンテナが、ＮＦＣコントローラおよびＦＭ受信機によって共有されるＦＭアンテナである、請求項２３に記載のワイヤレス通信デバイス。
【請求項２９】
前記再利用される遠方場アンテナが、ワイヤレスワイドエリアネットワーク（ＷＷＡＮ）アンテナである、請求項２３に記載のワイヤレス通信デバイス。
【請求項３０】
前記再利用される遠方場アンテナが、ワイヤレスローカルエリアネットワーク（ＷＬＡＮ）通信またはＢｌｕｅｔｏｏｔｈ（ＢＴ）通信のために使用される、請求項２３に記載のワイヤレス通信デバイス。
【請求項３１】
ワイヤレス通信のための装置であって、
近接場通信（ＮＦＣ）型動作を近接場モードで実行すべきかそれとも遠方場モードで実行すべきかを決定するための手段と、
前記遠方場モードにあるとき、再利用される遠方場アンテナを使用して近接場領域の外側でＮＦＣ型動作を実行するための手段と、
を備える装置。
【請求項３２】
前記ＮＦＣ型動作が、ＮＦＣプロトコルまたは無線周波数識別（ＲＦＩＤ）プロトコルに基づくワイヤレス通信を含む、請求項３１に記載の装置。
【請求項３３】
前記近接場領域の外側でＮＦＣ型動作を実行することが、前記再利用される遠方場アンテナを使用して、遠方場領域の中で動作するキャリア信号を送信することまたは受信することを備える、請求項３１に記載の装置。
【請求項３４】
前記ＮＦＣ型動作が遠方場無線によって実行される、請求項３１に記載の装置。
【請求項３５】
前記ＮＦＣ型動作がＮＦＣコントローラによって実行される、請求項３１に記載の装置。
【請求項３６】
前記再利用される遠方場アンテナが、ＮＦＣコントローラおよびＦＭ受信機によって共有されるＦＭアンテナである、請求項３１に記載の装置。
【請求項３７】
前記再利用される遠方場アンテナが、ワイヤレスワイドエリアネットワーク（ＷＷＡＮ）アンテナである、請求項３１に記載の装置。
【請求項３８】
前記再利用される遠方場アンテナが、ワイヤレスローカルエリアネットワーク（ＷＬＡＮ）通信またはＢｌｕｅｔｏｏｔｈ（ＢＴ）通信のために使用される、請求項３１に記載の装置。
【請求項３９】
ワイヤレス通信のためのコンピュータプログラム製品であって、前記コンピュータプログラム製品が、その上に命令を有する非一時的コンピュータ可読媒体を備え、前記命令が、
近接場通信（ＮＦＣ）型動作を近接場モードで実行すべきかそれとも遠方場モードで実行すべきかをワイヤレス通信デバイスに決定させるためのコードと、
前記遠方場モードにあるとき、再利用される遠方場アンテナを使用して近接場領域の外側でＮＦＣ型動作を前記ワイヤレス通信デバイスに実行させるためのコードと、
を備える、コンピュータプログラム製品。
【請求項４０】
前記ＮＦＣ型動作が、ＮＦＣプロトコルまたは無線周波数識別（ＲＦＩＤ）プロトコルに基づくワイヤレス通信を含む、請求項３９に記載のコンピュータプログラム製品。
【請求項４１】
前記近接場領域の外側でＮＦＣ型動作を実行することが、前記再利用される遠方場アンテナを使用して、遠方場領域の中で動作するキャリア信号を送信することまたは受信することを備える、請求項３９に記載のコンピュータプログラム製品。
【請求項４２】
前記ＮＦＣ型動作が遠方場無線によって実行される、請求項３９に記載のコンピュータプログラム製品。
【請求項４３】
前記ＮＦＣ型動作がＮＦＣコントローラによって実行される、請求項３９に記載のコンピュータプログラム製品。
【請求項４４】
前記再利用される遠方場アンテナが、ＮＦＣコントローラおよびＦＭ受信機によって共有されるＦＭアンテナである、請求項３９に記載のコンピュータプログラム製品。
【請求項４５】
前記再利用される遠方場アンテナが、ワイヤレスワイドエリアネットワーク（ＷＷＡＮ）アンテナである、請求項３９に記載のコンピュータプログラム製品。
【請求項４６】
前記再利用されるアンテナが、ワイヤレスローカルエリアネットワーク（ＷＬＡＮ）通信またはＢｌｕｅｔｏｏｔｈ（ＢＴ）通信のために使用される、請求項３９に記載のコンピュータプログラム製品。
【手続補正２】
【補正対象書類名】明細書
【補正対象項目名】０２７９
【補正方法】変更
【補正の内容】
【０２７９】
[00302]特許請求の範囲が、上記で示された厳密な構成および構成要素に限定されないことを理解されたい。特許請求の範囲から逸脱することなく、本明細書で説明したシステム、方法、および装置の構成、動作、および詳細において、様々な修正、変更、および変形が行われ得る。
以下に本願の出願当初の特許請求の範囲に記載された発明を付記する。
［Ｃ１］
近接場通信（ＮＦＣ）型動作を近接場モードで実行すべきかそれとも遠方場モードで実行すべきかを決定することと、
前記遠方場モードにあるとき、再利用されるアンテナを使用して近接場領域の外側でＮＦＣ型動作を実行することと、
を備える方法。
［Ｃ２］
前記ＮＦＣ型動作が、ＮＦＣプロトコルまたは無線周波数識別（ＲＦＩＤ）プロトコルに基づくワイヤレス通信を含む、Ｃ１に記載の方法。
［Ｃ３］
前記近接場領域の外側でＮＦＣ型動作を実行することが、前記再利用されるアンテナを使用して、遠方場領域の中で動作するキャリア信号を送信することまたは受信することを備える、Ｃ１に記載の方法。
［Ｃ４］
前記ＮＦＣ型動作が、近放射領域、遷移領域、または放射領域の中で実行される、Ｃ１に記載の方法。
［Ｃ５］
前記ＮＦＣ型動作が遠方場無線によって実行される、Ｃ１に記載の方法。
［Ｃ６］
ＮＦＣ型動作を前記近接場モードで実行すべきかそれとも前記遠方場モードで実行すべきかを決定することが、前記近接場領域および遠方場領域の中でポーリングすることに基づく、Ｃ１に記載の方法。
［Ｃ７］
ＮＦＣ型動作を前記近接場モードで実行すべきかそれとも前記遠方場モードで実行すべきかを決定することが、近接場モードまたは遠方場モードで動作するように構成されているソフトウェアアプリケーションを動作させることをユーザが選択することに基づく、Ｃ１に記載の方法。
［Ｃ８］
ＮＦＣ型動作を前記近接場モードで実行すべきかそれとも前記遠方場モードで実行すべきかを決定することが位置情報に基づく、Ｃ１に記載の方法。
［Ｃ９］
前記再利用されるアンテナがＮＦＣループアンテナであり、ここにおいて、前記ＮＦＣ型動作がＮＦＣコントローラによって実行される、Ｃ１に記載の方法。
［Ｃ１０］
近接場モードで使用される第１のインピーダンスから遠方場モードで使用される第２のインピーダンスまで整合ネットワークを調整することをさらに備え、ここにおいて、前記第１のインピーダンスが、近接場周波数に一致する第１の共振ピークを生じさせ、前記第２のインピーダンスが、遠方場周波数に一致する第２の共振ピークを生じさせる、Ｃ１に記載の方法。
［Ｃ１１］
前記再利用されるアンテナが、ＮＦＣコントローラおよびＦＭ受信機によって共有されるＦＭアンテナである、Ｃ１に記載の方法。
［Ｃ１２］
前記再利用されるアンテナが、ワイヤレスワイドエリアネットワーク（ＷＷＡＮ）アンテナである、Ｃ１に記載の方法。
［Ｃ１３］
前記ＷＷＡＮアンテナが、ダイプレクサを用いてＮＦＣコントローラおよびＷＷＡＮブロックに結合されている、Ｃ１２に記載の方法。
［Ｃ１４］
前記再利用されるアンテナが、ワイヤレスローカルエリアネットワーク（ＷＬＡＮ）通信またはＢｌｕｅｔｏｏｔｈ（ＢＴ）通信のために使用される遠方場アンテナである、Ｃ１に記載の方法。
［Ｃ１５］
ＷＬＡＮ動作およびＮＦＣ型動作が、共通の無線と前記遠方場アンテナとを共有する、Ｃ１４に記載の方法。
［Ｃ１６］
前記共通の無線が、遠方場領域の中でのＮＦＣ型動作のために再構成可能なＷＬＡＮ８０２．１１ａｈ無線である、Ｃ１５に記載の方法。
［Ｃ１７］
ＷＬＡＮ動作およびＮＦＣ型動作からのベースバンド信号が、前記共通の無線へ多重化される、Ｃ１５に記載の方法。
［Ｃ１８］
ＷＬＡＮ動作およびＮＦＣ型動作が、完全な同時実行のために低雑音増幅器（ＬＮＡ）を共有し電力増幅器（ＰＡ）を共有する、Ｃ１４に記載の方法。
［Ｃ１９］
ＷＬＡＮのために使用されるメディアアクセス制御（ＭＡＣ）、モデム、および無線が、ＮＦＣ型動作のために再構成される、Ｃ１に記載の方法。
［Ｃ２０］
ＮＦＣ型動作用の遠方場周波数が前記再利用されるアンテナによって単体でサポートされるかどうかを決定することと、
前記再利用されるアンテナによって単体でサポートされ得るよりも前記遠方場周波数が低いとき、前記近接場領域の外側でＮＦＣ型動作を実行するための複合アンテナを作成するために、前記再利用されるアンテナとＮＦＣループアンテナとを組み合わせることと、
をさらに備える、Ｃ１に記載の方法。
［Ｃ２１］
ＮＦＣループアンテナを使用して前記近接場領域の内側で、および前記再利用されるアンテナを使用して前記近接場領域の外側で、同時のＮＦＣ型動作を実行することをさらに備える、Ｃ１に記載の方法。
［Ｃ２２］
近接場領域の外側でＮＦＣ型動作を実行することが、遠方場周波数を使用してポーリング周波数掃引を実行することを備える、Ｃ１に記載の方法。
［Ｃ２３］
ワイヤレス通信デバイスであって、
プロセッサと、
前記プロセッサと通信しているメモリと、
前記メモリに記憶された命令と、を備え、前記命令が前記プロセッサによって、
近接場通信（ＮＦＣ）型動作を近接場モードで実行すべきかそれとも遠方場モードで実行すべきかを決定し、
前記遠方場モードにあるとき、再利用されるアンテナを使用して近接場領域の外側でＮＦＣ型動作を実行するように実行可能である、
ワイヤレス通信デバイス。
［Ｃ２４］
前記ＮＦＣ型動作が、ＮＦＣプロトコルまたは無線周波数識別（ＲＦＩＤ）プロトコルに基づくワイヤレス通信を含む、Ｃ２３に記載のワイヤレス通信デバイス。
［Ｃ２５］
前記近接場領域の外側でＮＦＣ型動作を実行することが、前記再利用されるアンテナを使用して、遠方場領域の中で動作するキャリア信号を送信することまたは受信することを備える、Ｃ２３に記載のワイヤレス通信デバイス。
［Ｃ２６］
前記ＮＦＣ型動作が遠方場無線によって実行される、Ｃ２３に記載のワイヤレス通信デバイス。
［Ｃ２７］
前記再利用されるアンテナがＮＦＣループアンテナであり、ここにおいて、前記ＮＦＣ型動作がＮＦＣコントローラによって実行される、Ｃ２３に記載のワイヤレス通信デバイス。
［Ｃ２８］
前記再利用されるアンテナが、ＮＦＣコントローラおよびＦＭ受信機によって共有されるＦＭアンテナである、Ｃ２３に記載のワイヤレス通信デバイス。
［Ｃ２９］
前記再利用されるアンテナが、ワイヤレスワイドエリアネットワーク（ＷＷＡＮ）アンテナである、Ｃ２３に記載のワイヤレス通信デバイス。
［Ｃ３０］
前記再利用されるアンテナが、ワイヤレスローカルエリアネットワーク（ＷＬＡＮ）通信またはＢｌｕｅｔｏｏｔｈ（ＢＴ）通信のために使用される遠方場アンテナである、Ｃ２３に記載のワイヤレス通信デバイス。
［Ｃ３１］
ワイヤレス通信のための装置であって、
近接場通信（ＮＦＣ）型動作を近接場モードで実行すべきかそれとも遠方場モードで実行すべきかを決定するための手段と、
前記遠方場モードにあるとき、再利用されるアンテナを使用して近接場領域の外側でＮＦＣ型動作を実行するための手段と、
を備える装置。
［Ｃ３２］
前記ＮＦＣ型動作が、ＮＦＣプロトコルまたは無線周波数識別（ＲＦＩＤ）プロトコルに基づくワイヤレス通信を含む、Ｃ３１に記載の装置。
［Ｃ３３］
前記近接場領域の外側でＮＦＣ型動作を実行することが、前記再利用されるアンテナを使用して、遠方場領域の中で動作するキャリア信号を送信することまたは受信することを備える、Ｃ３１に記載の装置。
［Ｃ３４］
前記ＮＦＣ型動作が遠方場無線によって実行される、Ｃ３１に記載の装置。
［Ｃ３５］
前記再利用されるアンテナがＮＦＣループアンテナであり、ここにおいて、前記ＮＦＣ型動作がＮＦＣコントローラによって実行される、Ｃ３１に記載の装置。
［Ｃ３６］
前記再利用されるアンテナが、ＮＦＣコントローラおよびＦＭ受信機によって共有されるＦＭアンテナである、Ｃ３１に記載の装置。
［Ｃ３７］
前記再利用されるアンテナが、ワイヤレスワイドエリアネットワーク（ＷＷＡＮ）アンテナである、Ｃ３１に記載の装置。
［Ｃ３８］
前記再利用されるアンテナが、ワイヤレスローカルエリアネットワーク（ＷＬＡＮ）通信またはＢｌｕｅｔｏｏｔｈ（ＢＴ）通信のために使用される遠方場アンテナである、Ｃ３１に記載の装置。
［Ｃ３９］
ワイヤレス通信のためのコンピュータプログラム製品であって、前記コンピュータプログラム製品が、その上に命令を有する非一時的コンピュータ可読媒体を備え、前記命令が、
近接場通信（ＮＦＣ）型動作を近接場モードで実行すべきかそれとも遠方場モードで実行すべきかをワイヤレス通信デバイスに決定させるためのコードと、
前記遠方場モードにあるとき、再利用されるアンテナを使用して近接場領域の外側でＮＦＣ型動作を前記ワイヤレス通信デバイスに実行させるためのコードと、
を備える、コンピュータプログラム製品。
［Ｃ４０］
前記ＮＦＣ型動作が、ＮＦＣプロトコルまたは無線周波数識別（ＲＦＩＤ）プロトコルに基づくワイヤレス通信を含む、Ｃ３９に記載のコンピュータプログラム製品。
［Ｃ４１］
前記近接場領域の外側でＮＦＣ型動作を実行することが、前記再利用されるアンテナを使用して、遠方場領域の中で動作するキャリア信号を送信することまたは受信することを備える、Ｃ３９に記載のコンピュータプログラム製品。
［Ｃ４２］
前記ＮＦＣ型動作が遠方場無線によって実行される、Ｃ３９に記載のコンピュータプログラム製品。
［Ｃ４３］
前記再利用されるアンテナがＮＦＣループアンテナであり、ここにおいて、前記ＮＦＣ型動作がＮＦＣコントローラによって実行される、Ｃ３９に記載のコンピュータプログラム製品。
［Ｃ４４］
前記再利用されるアンテナが、ＮＦＣコントローラおよびＦＭ受信機によって共有されるＦＭアンテナである、Ｃ３９に記載のコンピュータプログラム製品。
［Ｃ４５］
前記再利用されるアンテナが、ワイヤレスワイドエリアネットワーク（ＷＷＡＮ）アンテナである、Ｃ３９に記載のコンピュータプログラム製品。
［Ｃ４６］
前記再利用されるアンテナが、ワイヤレスローカルエリアネットワーク（ＷＬＡＮ）通信またはＢｌｕｅｔｏｏｔｈ（ＢＴ）通信のために使用される遠方場アンテナである、Ｃ３９に記載のコンピュータプログラム製品。
【国際調査報告】
2018513584.tif 000027
2018513584.tif 000028
2018513584.tif 000029